(57)【特許請求の範囲】
【請求項１】
基地局装置とのデータ通信と、前記基地局装置により設定される無線リソースを用いて端末装置間の直接データ通信であるデバイス間データ通信とを行う端末装置であって、
前記端末装置は、前記端末装置が端末装置間のデータ通信に興味があることを示す情報を前記基地局装置に通知し、
前記情報は、前記端末装置間のデータ通信の周波数を含み、
前記情報が前記基地局装置に通知されるか否かは、前記端末装置間のデータ通信をサポートしていることを示すシステム情報が前記基地局装置のセルにおいて報知されているか否かに少なくとも基づくことを特徴とする端末装置。
【請求項２】
基地局装置とのデータ通信と、前記基地局装置により設定される無線リソースを用いて端末装置間の直接データ通信であるデバイス間データ通信とを行う端末装置に適用される制御方法であって、
前記端末装置が端末装置間のデータ通信に興味があることを示す情報を前記端末装置によって前記基地局装置に通知することを少なくとも含み、
前記情報は、前記端末装置間のデータ通信の周波数を含み、
前記情報が前記基地局装置に通知されるか否かは、前記端末装置間のデータ通信をサポートしていることを示すシステム情報が前記基地局装置のセルにおいて報知されているか否かに少なくとも基づくことを特徴とする制御方法。
【請求項３】
基地局装置とのデータ通信と、前記基地局装置により設定される無線リソースを用いて端末装置間の直接データ通信であるデバイス間データ通信とを行う端末装置に実装される集積回路であって、
前記端末装置が端末装置間のデータ通信に興味があることを示す情報を前記端末装置によって前記基地局装置に通知する機能を前記端末装置に対して発揮させるものであり、
前記情報は、前記端末装置間のデータ通信の周波数を含み、
前記情報が前記基地局装置に通知されるか否かは、前記端末装置間のデータ通信をサポートしていることを示すシステム情報が前記基地局装置のセルにおいて報知されているか否かに少なくとも基づくことを特徴とする集積回路。
【発明の詳細な説明】
【技術分野】
【０００１】
本発明の実施形態は、デバイス間通信を行う際のセル選択を効率的に行う端末装置、制御方法および集積回路の技術に関する。
【背景技術】
【０００２】
標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）において、ＯＦＤＭ（Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ）通信方式やリソースブロックと呼ばれる所定の周波数・時間単位の柔軟なスケジューリングの採用によって、高速な通信を実現させたＥｖｏｌｖｅｄ  Ｕｎｉｖｅｒｓａｌ  Ｔｅｒｒｅｓｔｒｉａｌ  Ｒａｄｉｏ  Ａｃｃｅｓｓ（以降ＥＵＴＲＡと称する）の標準化が行なわれた。【０００３】
また、３ＧＰＰでは、より高速なデータ伝送を実現し、ＥＵＴＲＡに対して上位互換性を持つＡｄｖａｎｃｅｄ  ＥＵＴＲＡ（ＬＴＥ  Ａｄｖａｎｃｅｄ）の検討を行っている。【０００４】
ＬＴＥ  Ａｄｖａｎｃｅｄにおいて、デバイス装置（端末装置）からデバイス装置（端末装置）へ直接通信を行う技術について検討されている。この、デバイス装置からデバイス装置への直接通信のことを、Ｄ２Ｄ（Ｄｅｖｉｃｅ  ｔｏ  Ｄｅｖｉｃｅ）、またはデバイス間通信と称する。なお、３ＧＰＰにおいて標準化されるＤ２Ｄのことを、特にＬＴＥ−Ｄ２Ｄ、またはＬＴＥ−Ｄｉｒｅｃｔとも称する。【０００５】
Ｄ２Ｄにおいて、近接した端末装置間のサービス（Ｐｒｏｘｉｍｉｔｙ  ｂａｓｅｄ  Ｓｅｒｖｉｃｅｓ：ＰｒｏＳｅ）を実現するために、近接している端末装置を発見（Ｄｉｓｃｏｖｅｒｙ）するための方法や、端末装置同士が直接通信（Ｄｉｒｅｃｔ  ｃｏｍｍｕｎｉｃａｔｉｏｎ）を可能とするための方法などが３ＧＰＰで検討されている（非特許文献１）。
【先行技術文献】
【非特許文献】
【０００６】
【非特許文献１】３ＧＰＰ  ＴＳ  ３６．８４３  Ｖ１２．０．１（２０１４−０３）  ｈｔｔｐ：／／ｗｗｗ．３ｇｐｐ．ｏｒｇ／ＤｙｎａＲｅｐｏｒｔ／３６８４３．ｈｔｍ
【非特許文献２】３ＧＰＰ  ＴＳ  ３６．３０４  Ｖ１２．０．０（２０１４−０３）  ｈｔｔｐ：／／ｗｗｗ．３ｇｐｐ．ｏｒｇ／ＤｙｎａＲｅｐｏｒｔ／３６３０４．ｈｔｍ
【非特許文献３】Ｒ２−１４２６３１，ＬＧ  Ｅｌｅｃｔｒｏｎｉｃｓ  Ｉｎｃ．，“Ｐｒｉｏｒｉｔｉｚｅｄ  ｒｅｓｅｌｅｃｔｉｏｎ  ｏｆ  Ｄ２Ｄ  ｓｕｐｐｏｒｔｅｄ  ｆｒｅｑｕｅｎｃｙ”  ｈｔｔｐ：／／ｗｗｗ．３ｇｐｐ．ｏｒｇ／ｆｔｐ／ｔｓｇ＿ｒａｎ／ＷＧ２＿ＲＬ２／ＴＳＧＲ２＿８６／Ｄｏｃｓ／Ｒ２−１４２６３１．ｚｉｐ
【発明の概要】
【発明が解決しようとする課題】
【０００７】
非特許文献２では、端末装置が、自装置に保持するセルのリストや、検出されたセルの受信電力や受信品質などの情報に基づき、キャンプするセルを選択するセル選択手順が記載されている。また、非特許文献２では、アイドル状態の端末装置が、セルの受信品質や周波数の優先度、および自装置がＭＢＭＳ（Ｍｕｌｔｉｍｅｄｉａ  Ｂｒｏａｄｃａｓｔ  ａｎｄ  Ｍｕｌｔｉｃａｓｔ  Ｓｅｒｖｉｃｅ）に興味があるかなどの情報に基づき、キャンプするセルの再選択を行うセル再選択手順などが記載されている。【０００８】
また、非特許文献３では、Ｄ２Ｄに興味のあるアイドル状態の端末装置が、特定の周波数にキャンプしている場合のみ、かかるＤ２Ｄを行うことが可能である場合に、セル再選択手順において、このＤ２Ｄの送信および／または受信を行うことが可能となる周波数の優先度を最も高くすることによって、かかるＤ２Ｄの送信および／または受信を可能とすることなどが記載されている。【０００９】
しかしながら、非特許文献３では、Ｄ２Ｄに興味がある場合に優先度を変更してセル再選択を行うことが示されているが、現状、基地局装置と通信中の端末装置が、電波状況の悪化などにより無線リンクの失敗を検出した場合、セル再選択手順ではなく、セル選択手順により接続再確立を試みるため、Ｄ２Ｄが可能な周波数の優先度を高く設定するセル再選択手順の導入だけではＤ２Ｄを考慮した効率的な無線通信を実現することができない。【００１０】
また、接続再確立を試みて選択したセルにおいて端末装置がＤ２Ｄを行うことができない場合には、Ｄ２Ｄのためのリソースを取得するために無線接続していた端末装置にとっては、新たなセルにおいて無線接続を試みるのは無駄となる場合がある。【００１１】
本発明の実施形態は、上述の課題を鑑みてなされたものであり、デバイス間通信を行う際の接続制御を効率的に行うことが可能な端末装置、制御方法および集積回路に関する技術を提供することによって、上記の課題の少なくとも１つを解決することを目的とする。
【課題を解決するための手段】
【００１２】
上記の目的を達成するために以下のような手段を講じた。すなわち、本発明の実施形態における端末装置は、基地局装置とのデータ通信と、基地局装置により設定される無線リソースを用いて端末装置間の直接データ通信であるデバイス間データ通信とを行う端末装置であって、基地局装置への無線リソース制御接続再確立時に、少なくとも基地局装置のセルにおけるデバイス間データ通信の可否状況と、端末装置におけるデバイス間データ通信のデータの有無とに基づいて、基地局装置へ通知するデバイス間データ通信に関する情報を選択して通知することを特徴とする。【００１３】
また、本発明の実施形態における端末装置は、基地局装置とのデータ通信と、基地局装置により設定される無線リソースを用いて端末装置間の直接データ通信であるデバイス間データ通信とを行う端末装置であって、基地局装置への無線リソース制御接続再確立時に、少なくとも基地局装置のセルにおけるデバイス間データ通信の可否状況に基づいて、デバイス間データ通信のデータ無線ベアラの継続あるいは一時中断あるいは解放の制御を行うことを特徴とする。【００１４】
また、本発明の実施形態における制御方法は、基地局装置とのデータ通信と、基地局装置により設定される無線リソースを用いて端末装置間の直接データ通信であるデバイス間データ通信とを行う端末装置に適用される制御方法であって、基地局装置への無線リソース制御接続再確立時に、少なくとも基地局装置のセルにおけるデバイス間データ通信の可否状況と、端末装置におけるデバイス間データ通信のデータの有無とに基づいて、基地局装置へ通知するデバイス間データ通信に関する情報を選択して通知するステップを少なくとも含むことを特徴とする。【００１５】
また、本発明の実施形態における制御方法は、基地局装置とのデータ通信と、基地局装置により設定される無線リソースを用いて端末装置間の直接データ通信であるデバイス間データ通信とを行う端末装置に適用される制御方法であって、基地局装置への無線リソース制御接続再確立時に、少なくとも基地局装置のセルにおけるデバイス間データ通信の可否状況に基づいて、デバイス間データ通信のデータ無線ベアラの継続あるいは一時中断あるいは解放の制御を行うステップを少なくとも含むことを特徴とする。【００１６】
また、本発明の実施形態における集積回路は、基地局装置とのデータ通信と、基地局装置により設定される無線リソースを用いて端末装置間の直接データ通信であるデバイス間データ通信とを行う端末装置に実装される集積回路であって、基地局装置への無線リソース制御接続再確立時に、少なくとも基地局装置のセルにおけるデバイス間データ通信の可否状況と、端末装置におけるデバイス間データ通信のデータの有無とに基づいて、基地局装置へ通知するデバイス間データ通信に関する情報を選択して通知する機能を端末装置に対して発揮させることを特徴とする。【００１７】
また、本発明の実施形態における集積回路は、基地局装置とのデータ通信と、基地局装置により設定される無線リソースを用いて端末装置間の直接データ通信であるデバイス間データ通信とを行う端末装置に実装される集積回路であって、基地局装置への無線リソース制御接続再確立時に、少なくとも基地局装置のセルにおけるデバイス間データ通信の可否状況に基づいて、デバイス間データ通信のデータ無線ベアラの継続あるいは一時中断あるいは解放の制御を行う機能を端末装置に対して発揮させることを特徴とする。
【発明の効果】
【００１８】
以上、説明したように、本発明の実施形態によれば、デバイス間通信を行う際の接続制御を効率的に行うことが可能な端末装置、制御方法および集積回路に関する技術を提供することができる。
【図面の簡単な説明】
【００１９】
【図１】本発明の実施形態に係る端末装置の概略構成の一例を示すブロック図である。
【図２】本発明の実施形態に係る基地局装置の概略構成の一例を示すブロック図である。
【図３】本発明の第１の実施形態における無線リソース制御接続再確立手順に関するフローチャート図の一例を示したものである。
【図４】本発明の第２の実施形態における無線リソース制御接続再確立手順に関するフローチャート図の一例を示したものである。
【図５】本発明の実施形態に係るユーザ平面（ＵＰ（Ｕｓｅｒ−ｐｌａｎｅ、Ｕ−Ｐｌａｎｅ））プロトコルスタックを表す図である。
【図６】本発明の実施形態に係る制御平面（ＣＰ（Ｃｏｎｔｒｏｌ−ｐｌａｎｅ、Ｃ−Ｐｌａｎｅ））プロトコルスタックを表す図である。
【発明を実施するための形態】
【００２０】
本発明の各実施形態に関わる技術について以下に簡単に説明する。
【００２１】
[物理チャネル／物理シグナル]
ＥＵＴＲＡおよびＡｄｖａｎｃｅｄ  ＥＵＴＲＡで使用される主な物理チャネル、物理シグナルについて説明を行なう。チャネルとは信号の送受信に用いられる媒体を意味し、物理チャネルとは信号の送受信に用いられる物理的な媒体を意味する。本発明において、物理チャネルは、信号と同義的に使用され得る。物理チャネルは、ＥＵＴＲＡ、およびＡｄｖａｎｃｅｄ  ＥＵＴＲＡにおいて、今後追加、または、その構造やフォーマット形式が変更または追加される可能性があるが、変更または追加された場合でも本発明の各実施形態の説明には影響しない。
【００２２】
ＥＵＴＲＡおよびＡｄｖａｎｃｅｄ  ＥＵＴＲＡでは、物理チャネルまたは物理シグナルのスケジューリングについて無線フレームを用いて管理している。１無線フレームは１０ｍｓであり、１無線フレームは１０サブフレームで構成される。さらに、１サブフレームは２スロットで構成される（すなわち、１サブフレームは１ｍｓ、１スロットは０．５ｍｓである）。また、物理チャネルが配置されるスケジューリングの最小単位としてリソースブロックを用いて管理している。リソースブロックとは、周波数軸を複数サブキャリア（例えば１２サブキャリア）の集合で構成される一定の周波数領域と、一定の送信時間間隔（１スロット）で構成される領域で定義される。
【００２３】
同期シグナル（Ｓｙｎｃｈｒｏｎｉｚａｔｉｏｎ  Ｓｉｇｎａｌｓ）は、３種類のプライマリ同期シグナルと、周波数領域で互い違いに配置される３１種類の符号から構成されるセカンダリ同期シグナルとで構成され、プライマリ同期シグナルとセカンダリ同期シグナルの信号の組み合わせによって、基地局装置を識別する５０４通りのセル識別子（物理セルＩＤ（ＰＣＩ：Ｐｈｙｓｉｃａｌ  Ｃｅｌｌ  Ｉｄｅｎｔｉｔｙ））と、無線同期のためのフレームタイミングが示される。端末装置は、セルサーチによって受信した同期シグナルの物理セルＩＤを特定する。
【００２４】
物理報知情報チャネル（ＰＢＣＨ：Ｐｈｙｓｉｃａｌ  Ｂｒｏａｄｃａｓｔ  ＣＨａｎｎｅｌ）は、セル内の端末装置で共通に用いられる制御パラメータ（報知情報（システム情報（ＳＩ：Ｓｙｓｔｅｍ  Ｉｎｆｏｒｍａｔｉｏｎ）））を通知（設定）する目的で送信される。物理報知情報チャネルで通知されない報知情報は、物理下りリンク制御チャネルで報知情報が送信される無線リソースがセル内の端末装置に対して通知され、通知された無線リソースにおいて、物理下りリンク共用チャネルによって報知情報を通知するレイヤ３メッセージ（システムインフォメーション）が送信される。
【００２５】
報知情報として、セル個別の識別子を示すセルグローバル識別子（ＣＧＩ：Ｃｅｌｌ  Ｇｌｏｂａｌ  Ｉｄｅｎｔｉｆｉｅｒ）、ページングによる待ち受けエリアを管理するトラッキングエリア識別子（ＴＡＩ：Ｔｒａｃｋｉｎｇ  Ａｒｅａ  Ｉｄｅｎｔｉｆｉｅｒ）、ランダムアクセス設定情報、送信タイミング調整情報、当該セルにおける共通無線リソース設定情報、周辺セル情報、上りリンクアクセス制限情報などが通知される。
【００２６】
下りリンクリファレンスシグナルは、その用途によって複数のタイプに分類される。例えば、セル固有ＲＳ（ＣＲＳ：Ｃｅｌｌ-ｓｐｅｃｉｆｉｃ  Ｒｅｆｅｒｅｎｃｅ  Ｓｉｇｎａｌｓ）は、セル毎に所定の電力で送信されるパイロットシグナルであり、所定の規則に基づいて周波数領域および時間領域で周期的に繰り返される下りリンクリファレンスシグナルである。端末装置は、セル固有ＲＳを受信することでセル毎の受信品質を測定する。また、端末装置は、セル固有ＲＳと同時に送信される物理下りリンク制御チャネル、または物理下りリンク共用チャネルの復調のための参照用の信号としても下りリンクセル固有ＲＳを使用する。セル固有ＲＳに使用される系列は、セル毎に識別可能な系列が用いられる。
【００２７】
また、下りリンクリファレンスシグナルは下りリンクの伝搬路変動の推定にも用いられる。伝搬路変動の推定に用いられる下りリンクリファレンスシグナルのことをチャネル状態情報リファレンスシグナル（ＣＳＩ−ＲＳ：Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌｓ）と称する。また、端末装置に対して個別に設定される下りリンクリファレンスシグナルは、ＵＥ  ｓｐｅｃｉｆｉｃ  Ｒｅｆｅｒｅｎｃｅ  Ｓｉｇｎａｌｓ（ＵＲＳ）またはＤｅｄｉｃａｔｅｄ  ＲＳ（ＤＲＳ）と称され、物理下りリンク制御チャネル、または物理下りリンク共用チャネルを復調するときのチャネルの伝搬路補償処理のために参照される。
【００２８】
物理下りリンク制御チャネル（ＰＤＣＣＨ：Ｐｈｙｓｉｃａｌ  Ｄｏｗｎｌｉｎｋ  Ｃｏｎｔｒｏｌ  ＣＨａｎｎｅｌ）は、各サブフレームの先頭からいくつかのＯＦＤＭシンボル（例えば１〜４ＯＦＤＭシンボル）で送信される。拡張物理下りリンク制御チャネル（ＥＰＤＣＣＨ：Ｅｎｈａｎｃｅｄ  Ｐｈｙｓｉｃａｌ  Ｄｏｗｎｌｉｎｋ  Ｃｏｎｔｒｏｌ  ＣＨａｎｎｅｌ）は、物理下りリンク共用チャネルＰＤＳＣＨが配置されるＯＦＤＭシンボルに配置される物理下りリンク制御チャネルである。ＰＤＣＣＨまたはＥＰＤＣＣＨは、端末装置に対して基地局装置のスケジューリングに従った無線リソース割り当て情報や、送信電力の増減の調整量を指示する情報を通知する目的で使用される。以降、単に物理下りリンク制御チャネル（ＰＤＣＣＨ）と記載した場合、特に明記がなければ、ＰＤＣＣＨとＥＰＤＣＣＨの両方の物理チャネルを意味する。
【００２９】
端末装置は、下りリンクデータや下りリンク制御データであるレイヤ２メッセージおよびレイヤ３メッセージ（ページング、ハンドオーバコマンドなど）を送受信する前に自装置宛の物理下りリンク制御チャネルを監視（モニタ）し、自装置宛の物理下りリンク制御チャネルを受信することで、送信時には上りリンクグラント、受信時には下りリンクグラント（下りリンクアサインメント）と呼ばれる無線リソース割り当て情報を物理下りリンク制御チャネルから取得する必要がある。なお、物理下りリンク制御チャネルは、上述したＯＦＤＭシンボルで送信される以外に、基地局装置から端末装置に対して個別（ｄｅｄｉｃａｔｅｄ）に割り当てられるリソースブロックの領域で送信されるように構成することも可能である。
【００３０】
物理上りリンク制御チャネル（ＰＵＣＣＨ：Ｐｈｙｓｉｃａｌ  Ｕｐｌｉｎｋ  Ｃｏｎｔｒｏｌ  ＣＨａｎｎｅｌ）は、物理下りリンク共用チャネルで送信されたデータの受信確認応答（ＡＣＫ／ＮＡＣＫ：ＡＣＫｎｏｗｌｅｄｇｅｍｅｎｔ／Ｎｅｇａｔｉｖｅ  ＡＣＫｎｏｗｌｅｄｇｅｍｅｎｔ）や下りリンクの伝搬路（チャネル状態）情報（ＣＳＩ：Ｃｈａｎｎｅｌ  Ｓｔａｔｅ  Ｉｎｆｏｒｍａｔｉｏｎ）、上りリンクの無線リソース割り当て要求（無線リソース要求、スケジューリングリクエスト（ＳＲ：Ｓｃｈｅｄｕｌｉｎｇ  Ｒｅｑｕｅｓｔ））を行なうために使用される。
【００３１】
ＣＳＩは、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＰＴＩ（Ｐｒｅｃｏｄｉｎｇ  Ｔｙｐｅ  Ｉｎｄｉｃａｔｏｒ）、ＲＩ（Ｒａｎｋ  Ｉｎｄｉｃａｔｏｒ）を含む。各Ｉｎｄｉｃａｔｏｒは、Ｉｎｄｉｃａｔｉｏｎと表記されてもよい。
【００３２】
物理下りリンク共用チャネル（ＰＤＳＣＨ：Ｐｈｙｓｉｃａｌ  Ｄｏｗｎｌｉｎｋ  Ｓｈａｒｅｄ  ＣＨａｎｎｅｌ）は、下りリンクデータの他、ページングや物理報知情報チャネルで通知されない報知情報（システムインフォメーション）をレイヤ３メッセージとして端末装置に通知するためにも使用される。物理下りリンク共用チャネルの無線リソース割り当て情報は、物理下りリンク制御チャネルで示される。物理下りリンク共用チャネルは物理下りリンク制御チャネルが送信されるＯＦＤＭシンボル以外のＯＦＤＭシンボルに配置されて送信される。すなわち、物理下りリンク共用チャネルと物理下りリンク制御チャネルは１サブフレーム内で時分割多重されている。
【００３３】
物理上りリンク共用チャネル（ＰＵＳＣＨ：Ｐｈｙｓｉｃａｌ  Ｕｐｌｉｎｋ  Ｓｈａｒｅｄ  ＣＨａｎｎｅｌ）は、主に上りリンクデータと上りリンク制御データを送信し、下りリンクの受信品質やＡＣＫ／ＮＡＣＫなどの制御データを含めることも可能である。また、上りリンクデータの他、上りリンク制御情報をレイヤ３メッセージとして端末装置から基地局装置に通知するためにも使用される。また、下りリンクと同様に物理上りリンク共用チャネルの無線リソース割り当て情報は、物理下りリンク制御チャネルで示される。
【００３４】
上りリンクリファレンスシグナル（Ｕｐｌｉｎｋ  Ｒｅｆｅｒｅｎｃｅ  Ｓｉｇｎａｌ）（上りリンク参照信号、上りリンクパイロット信号、上りリンクパイロットチャネルとも呼称する）は、基地局装置が、物理上りリンク制御チャネルＰＵＣＣＨおよび／または物理上りリンク共用チャネルＰＵＳＣＨを復調するために使用する復調参照信号（ＤＭＲＳ：Ｄｅｍｏｄｕｌａｔｉｏｎ  Ｒｅｆｅｒｅｎｃｅ  Ｓｉｇｎａｌ）と、基地局装置が、主に、上りリンクのチャネル状態を推定するために使用するサウンディング参照信号（ＳＲＳ：Ｓｏｕｎｄｉｎｇ  Ｒｅｆｅｒｅｎｃｅ  Ｓｉｇｎａｌ）が含まれる。また、サウンディング参照信号には、周期的に送信される周期的サウンディング参照信号（Ｐｅｒｉｏｄｉｃ  ＳＲＳ）と、基地局装置から指示されたときに送信される非周期的サウンディング参照信号（Ａｐｅｒｉｏｄｉｃ  ＳＲＳ）とがある。
【００３５】
物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）は、プリアンブル系列を通知（設定）するために使用されるチャネルであり、ガードタイムを有する。プリアンブル系列は、複数のシーケンスによって基地局装置へ情報を通知するように構成される。例えば、６４種類のシーケンスが用意されている場合、６ビットの情報を基地局装置へ示すことができる。物理ランダムアクセスチャネルは、端末装置の基地局装置へのアクセス手段として用いられる。
【００３６】
端末装置は、物理上りリンク制御チャネル未設定時の上りリンクの無線リソース要求のため、または、上りリンク送信タイミングを基地局装置の受信タイミングウィンドウに合わせるために必要な送信タイミング調整情報（タイミングアドバンス（ＴＡ：Ｔｉｍｉｎｇ  Ａｄｖａｎｃｅ）とも呼ばれる）を基地局装置に要求するためなどに物理ランダムアクセスチャネルを用いる。また、基地局装置は、端末装置に対して物理下りリンク制御チャネルを用いてランダムアクセス手順の開始を要求することもできる。
【００３７】
さらに、Ｄ２Ｄに関する物理チャネルとして、Ｄ２Ｄ同期信号（Ｄ２Ｄ  Ｓｙｎｃｈｏｎｉｚａｔｉｏｎ  Ｓｉｇｎａｌ：Ｄ２ＤＳＳ）や、物理Ｄ２Ｄ同期チャネル（Ｐｈｙｓｉｃａｌ  Ｄ２Ｄ  Ｓｙｎｃｈｏｎｉｚａｔｉｏｎ  Ｃｈａｎｎｅｌ：ＰＤ２ＤＳＣＨ）などを用いることが検討されている。
【００３８】
Ｄ２Ｄ同期信号は、ＰＤ２ＤＳＳ（Ｐｒｉｍａｒｙ  Ｄ２ＤＳＳ）と、ＳＤ２ＤＳＳ（Ｓｅｃｏｎｄａｒｙ  Ｄ２ＤＳＳ）の２つの同期シグナルとで構成される。基地局装置が同期元となる場合、ＰＤ２ＤＳＳとＳＤ２ＤＳＳは、それぞれプライマリ同期シグナルとセカンダリ同期シグナルとが用いられる。また、同期元が基地局装置以外である場合、Ｚａｄｏｆｆ−Ｃｈｕ系列のプライマリＤ２Ｄ同期シグナル（ＰＤ２ＤＳＳ）とＭ系列のセカンダリＤ２Ｄ同期シグナル（ＳＤ２ＤＳＳ）とが用いられる。
【００３９】
物理Ｄ２Ｄ同期チャネルは、Ｄ２Ｄを送信する端末装置から送信され、Ｄ２Ｄに関する制御情報（たとえば、送信する端末装置に関する同期ＩＤ、リソースプール、システム帯域幅、ＴＤＤサブフレーム設定など）や、Ｄ２Ｄフレーム番号などを通知する目的で送信されることが検討されている。
【００４０】
また、Ｄ２Ｄにおいて、送信側の端末装置が、受信側の端末装置に対してスケジューリング割り当て（Ｓｃｈｅｄｕｌｉｎｇ  ａｓｓｉｇｎｍｅｎｔｓ：ＳＡ）を送信することが検討されている。ＳＡは、Ｄ２Ｄに関する送信データに関するタイミング調整情報（Ｄ２Ｄ  Ｒｅｃｅｐｔｉｏｎ  Ｔｉｍｉｎｇ  Ａｄｖａｎｃｅ（Ｄ２Ｄ−ＴＡ））、Ｄ２Ｄの内容（種別）を識別するＩＤ情報、かかるＩＤ情報に対応する送信データの無線リソースのパターン（ＲＰＴ；Ｒｅｓｏｕｒｃｅ  Ｐａｔｔｅｒｎｓ  ｆｏｒ  Ｔｒａｎｓｍｉｓｓｉｏｎ）などを明示的、または暗黙的に通知することができる。
【００４１】
ＳＡを受信した端末装置は、Ｄ２Ｄ同期シグナルから取得したタイミングと、ＳＡに含まれるタイミング調整情報とに基づいてＤ２Ｄに関する送信データの受信タイミングを調整して受信することができる。なお、Ｄ２Ｄに関する送信データのタイミング調整情報は、ＰＤ２ＤＳＣＨで送信してもよい。
【００４２】
また、ＲＰＴによって示されるＤ２Ｄに関する送信データの情報は、帯域幅情報、周波数領域のリソース情報、周波数ホッピング情報、時間領域のリソース情報などがある。Ｄ２Ｄで送信を行う端末装置は、ＳＡ、および、Ｄ２Ｄに関する送信データを通知する物理チャネルとしてＰＵＳＣＨを用いてもよいし、それぞれ専用の物理チャネルを割り当ててもよい。ＰＵＳＣＨを用いる場合、Ｄ２Ｄで受信を行う端末装置は、対応する周波数でＰＵＳＣＨを受信し、デコードを行う必要がある。
【００４３】
なお、それ以外の物理チャネルまたは物理シグナルは、本発明の各実施形態と強く関わらないため詳細な説明は省略する。説明を省略した物理チャネルまたは物理シグナルとして、物理制御フォーマット指示チャネル（ＰＣＦＩＣＨ：Ｐｈｙｓｉｃａｌ  Ｃｏｎｔｒｏｌ  Ｆｏｒｍａｔ  Ｉｎｄｉｃａｔｏｒ  ＣＨａｎｎｅｌ）、物理ＨＡＲＱ指示チャネル（ＰＨＩＣＨ：Ｐｈｙｓｉｃａｌ  Ｈｙｂｒｉｄ  ＡＲＱ  Ｉｎｄｉｃａｔｏｒ  ＣＨａｎｎｅｌ）、物理マルチキャストチャネル（ＰＭＣＨ：Ｐｈｙｓｉｃａｌ  Ｍｕｌｔｉｃａｓｔ  ＣＨａｎｎｅｌ）などがある。
【００４４】
[無線ネットワーク、セル種別]
基地局装置によって制御される各周波数の通信可能範囲（通信エリア）はセルとしてみなされる。このとき、基地局装置がカバーする通信エリアは周波数毎にそれぞれ異なる広さ、異なる形状であってもよい。また、カバーするエリアが周波数毎に異なっていてもよい。基地局装置の種別やセル半径の大きさが異なるセルが、同一の周波数または異なる周波数のエリアに混在して一つの通信システムを形成している無線ネットワークのことを、ヘテロジニアスネットワークと称する。
【００４５】
端末装置は、端末装置のアクセスが基地局装置から通知される報知情報に基づいて禁止されていないと判断したセルであって、かつ、下りリンクの受信品質が所定の条件を満足し、その結果、かかるセルにキャンプすることによって、通常のサービスが許可されるセルを適切なセル（Ｓｕｉｔａｂｌｅ  ｃｅｌｌ）とみなしてよい。
【００４６】
また、セル選択手順およびセル再選択手順において適切なセルと判断されなかったセルで、一部の限定されたサービスのみが許可されているセルを制限セル（Ａｃｃｅｐｔａｂｌｅ  ｃｅｌｌ）とみなしてよい。なお、端末装置は制限セルであってもキャンプすることができる。一部のサービスとは、たとえば緊急呼通信（Ｅｍｅｒｇｅｎｃｙ  ｃａｌｌ）である。また、通常の端末装置が利用できないオペレータのサービスのための予約セル（Ｒｅｓｅｒｖｅｄ  ｃｅｌｌ）やアクセスが禁止された禁止セル（Ｂａｒｒｅｄ  ｃｅｌｌ）があり、該セルのシステム情報に基づき、該セルが予約セルや禁止セルであるか否かを判断することができる。
【００４７】
端末装置は、セル選択手順やセル再選択手順において、最適なセル（Ｓｕｉｔａｂｌｅ  ｃｅｌｌ）を検索し、見つからない場合に制限セル（Ａｃｃｅｐｔａｂｌｅ  ｃｅｌｌ）を検索する。
【００４８】
端末装置が、キャンプしているセルから他のセルへ移動するときは、非無線リソース制御接続状態（アイドル状態（Ｉｄｌｅ  ｍｏｄｅ）、非通信中）はセル再選択手順、無線リソース制御接続時（コネクティッド状態（Ｃｏｎｎｅｃｔｅｄ  ｍｏｄｅ）、通信中）はハンドオーバ手順によって移動が行われる。端末装置は、セルにキャンプしている状態（アイドル状態）、または、あるセルにおいてコネクティッド状態にあるとき、基地局装置と通信可能なエリアに位置している、すなわち、セルのサービス区域内（カバレッジ内（ｉｎ−ｃｏｖｅｒａｇｅ））である、と判断してよい。
【００４９】
基地局装置は、周波数毎に１つ以上のセルを管理している。１つの基地局装置が複数のセルを管理していてもよい。セルは、端末装置と通信可能なエリアの大きさ（セルサイズ）に応じて複数の種別に分類される。例えば、セルは、マクロセルとスモールセルに分類される。スモールセルは、一般的に半径数メートルから数十メートルまでをカバーするセルである。また、スモールセルは、そのエリアの大きさに応じて、フェムトセル、ピコセル、ナノセルなどに分類されることもある。
【００５０】
端末装置がある基地局装置と通信可能であるとき、その基地局装置のセルのうち、端末装置との通信に使用されるセルは在圏セル（Ｓｅｒｖｉｎｇ  ｃｅｌｌ）であり、その他の通信に使用されないセルは周辺セル（Ｎｅｉｇｈｂｏｒｉｎｇ  ｃｅｌｌ）と称される。
【００５１】
在圏セルの周波数は、同周波数（Ｉｎｔｒａ−ｆｒｅｑｕｅｎｃｙ）とも在圏周波数（Ｓｅｒｖｉｎｇ  ｆｒｅｑｕｅｎｃｙ）とも称される。同周波数ではない周波数は異周波数（Ｉｎｔｅｒ−ｆｒｅｑｕｅｎｃｙ）と称される。キャリア・アグリゲーションなどによって、端末装置に対して複数の在圏セルが設定されている場合、対応する在圏周波数も複数あるとみなされる。また、キャリア・アグリゲーションにおける制御平面のデータの送受信が行われる在圏セルを特にプライマリセル（ＰＣｅｌｌ）とも称する。
【００５２】
[無線プロトコル構造]
図５は、ＥＵＴＲＡの無線ネットワーク（ＥＵＴＲＡＮ）の端末装置及び基地局装置のユーザデータを扱うユーザ平面（ＵＰ（Ｕｓｅｒ−ｐｌａｎｅ、Ｕ−Ｐｌａｎｅ））プロトコルスタックを表す図である。また、図６は、制御データを扱う制御平面（ＣＰ（Ｃｏｎｔｒｏｌ−ｐｌａｎｅ、Ｃ−Ｐｌａｎｅ））プロトコルスタックを表す図である。
【００５３】
図５および図６において、物理層（Ｐｈｙｓｉｃａｌ  ｌａｙｅｒ：ＰＨＹ層）は、物理チャネル（Ｐｈｙｓｉｃａｌ  Ｃｈａｎｎｅｌ）を利用して上位層に伝送サービスを提供する。ＰＨＹ層は、上位の媒体アクセス制御層（Ｍｅｄｉｕｍ  Ａｃｃｅｓｓ  Ｃｏｎｔｒｏｌ  ｌａｙｅｒ：ＭＡＣ層）とトランスポートチャネルで接続される。トランスポートチャネルを介して、ＭＡＣ層とＰＨＹ層とレイヤ（ｌａｙｅｒ：層）間でデータが移動する。端末装置と基地局装置のＰＨＹ層間において、物理チャネルを介してデータの送受信が行われる。
【００５４】
ＭＡＣ層は、多様な論理チャネルを多様なトランスポートチャネルにマッピングを行う。ＭＡＣ層は、上位の無線リンク制御層（Ｒａｄｉｏ  Ｌｉｎｋ  Ｃｏｎｔｒｏｌ  ｌａｙｅｒ：ＲＬＣ層）とは論理チャネルで接続される。論理チャネルは、伝送される情報の種類によって大きく分けられ、制御情報を伝送する制御チャネルとユーザ情報を伝送するトラフィックチャネルに分けられる。ＭＡＣ層は、間欠受送信（ＤＲＸ・ＤＴＸ）を行うためにＰＨＹ層の制御を行う機能、ランダムアクセス手順を実行する機能、送信電力の情報を通知する機能、ＨＡＲＱ制御を行う機能などを持つ。
【００５５】
ＲＬＣ層は、上位層から受信したデータを分割（Ｓｅｇｍｅｎｔａｔｉｏｎ）及び結合(Ｃｏｎｃａｔｅｎａｔｉｏｎ)し、下位層が適切にデータ送信できるようにデータサイズを調節する。また、ＲＬＣ層は、各データが要求するＱｏＳ（Ｑｕａｌｉｔｙ  ｏｆ  Ｓｅｒｖｉｃｅ）を保証するための機能も持つ。すなわち、ＲＬＣ層は、データの再送制御等の機能を持つ。
【００５６】
パケットデータコンバージェンスプロトコル層（Ｐａｃｋｅｔ  Ｄａｔａ  Ｃｏｎｖｅｒｇｅｎｃｅ  Ｐｒｏｔｏｃｏｌ  ｌａｙｅｒ：ＰＤＣＰ層）は、ユーザデータであるＩＰパケットを無線区間で効率的に伝送するために、不要な制御情報の圧縮を行うヘッダ圧縮機能を持つ。また、ＰＤＣＰ層は、データの暗号化の機能も持つ。
【００５７】
さらに、制御平面プロトコルスタックには、無線リソース制御層（Ｒａｄｉｏ  Ｒｅｓｏｕｒｃｅ  Ｃｏｎｔｒｏｌ  ｌａｙｅｒ：ＲＲＣ層）がある。ＲＲＣ層は、無線ベアラ（Ｒａｄｉｏ  Ｂｅａｒｅｒ：ＲＢ）の設定・再設定を行い、論理チャネル、トランスポートチャネル及び物理チャネルの制御を行う。ＲＢは、シグナリグ無線ベアラ（Ｓｉｇｎａｌｉｎｇ  Ｒａｄｉｏ  Ｂｅａｒｅｒ：ＳＲＢ）とデータ無線ベアラ（Ｄａｔａ  Ｒａｄｉｏ  Ｂｅａｒｅｒ：ＤＲＢ）とに分けられ、ＳＲＢは、制御情報であるＲＲＣメッセージを送信する経路として利用される。ＤＲＢは、ユーザデータを送信する経路として利用される。基地局装置と端末装置のＲＲＣ層間で各ＲＢの設定が行われる。
【００５８】
ＳＲＢはＳＲＢ０とＳＲＢ１とＳＲＢ２の３種類定義されている。ＳＲＢ０は論理チャネルのＣＣＣＨを用いたＲＲＣメッセージのためにある。ＳＲＢ１は論理チャネルのＤＣＣＨを用いたＲＲＣメッセージ（ＲＲＣメッセージによって運ばれるＮＡＳメッセージも含む）とＳＲＢ２を確立する前に運ばれるＮＡＳメッセージのためにある。ＳＲＢ２は、記録された測定情報を含むＲＲＣメッセージとＮＡＳメッセージのためにある。ＳＲＢ２はＳＲＢ１よりも優先度が低く、常にセキュリティが活性化された後にＥＵＴＲＡのネットワークによって設定される。また、ＤＲＢもセキュリティが活性化された後にＥＵＴＲＡのネットワークによって設定される。
【００５９】
尚、ＰＨＹ層は一般的に知られる開放型システム間相互接続（Ｏｐｅｎ  Ｓｙｓｔｅｍｓ  Ｉｎｔｅｒｃｏｎｎｅｃｔｉｏｎ：ＯＳＩ）モデルの階層構造の中で第一層の物理層に対応し、ＭＡＣ層、ＲＬＣ層及びＰＤＣＰ層はＯＳＩモデルの第二層であるデータリンク層に対応し、ＲＲＣ層はＯＳＩモデルの第三層であるネットワーク層に対応する。
【００６０】
また、ネットワークと端末装置との間で用いられるシグナリングプロトコルは、アクセス層（Ａｃｃｅｓｓ  Ｓｔｒａｔｕｍ：ＡＳ）プロトコルと非アクセス層（Ｎｏｎ−Ａｃｃｅｓｓ  Ｓｔｒａｔｕｍ：ＮＡＳ）プロトコルとに分割される。例えば、ＲＲＣ層以下のプロトコルは、端末装置と基地局装置との間で用いられるアクセス層プロトコルである。また、端末装置の接続管理（Ｃｏｎｎｅｃｔｉｏｎ  Ｍａｎａｇｅｍｅｎｔ：ＣＭ）やモビリティ管理（Ｍｏｂｉｌｉｔｙ  Ｍａｎａｇｅｍｅｎｔ：ＭＭ）などのプロトコルは非アクセス層プロトコルであり、端末装置とコアネットワーク（ＣＮ）との間で用いられる。例えば図６に示すように、端末装置とモバイル管理エンティティ（Ｍｏｂｉｌｉｔｙ  Ｍａｎａｇｅｍｅｎｔ  Ｅｎｔｉｔｙ：ＭＭＥ）との間で、非アクセス層プロトコルを用いた通信が、基地局装置を介して透過的に行われる。
【００６１】
[ランダムアクセス手順]
ランダムアクセス手順について以下に説明する。ランダムアクセス手順には、競合ベースランダムアクセス手順（Ｃｏｎｔｅｎｔｉｏｎ  ｂａｓｅｄ  Ｒａｎｄｏｍ  Ａｃｃｅｓｓ  ｐｒｏｃｅｄｕｒｅ）と非競合ベースランダムアクセス手順（Ｎｏｎーｃｏｎｔｅｎｔｉｏｎ  ｂａｓｅｄ  Ｒａｎｄｏｍ  Ａｃｃｅｓｓ  ｐｒｏｃｅｄｕｒｅ）の２つのアクセス手順がある。
【００６２】
競合ベースランダムアクセス手順は、移動局装置間で衝突する可能性のあるランダムアクセス手順であり、基地局装置と接続（通信）していない状態からの初期アクセス時や基地局装置と接続中であるが、上りリンク同期が外れている状態で移動局装置に上りリンクデータ送信が発生した場合のスケジューリングリクエストなどに行われる。
【００６３】
非競合ベースランダムアクセス手順は、移動局装置間で衝突が発生しないランダムアクセス手順であり、基地局装置と移動局装置が接続中であるが、上りリンクの同期が外れている場合に迅速に移動局装置と基地局装置との間の上りリンク同期をとるためにハンドオーバや移動局装置の送信タイミングが有効でない場合等の特別な場合に基地局装置から指示されて移動局装置がランダムアクセス手順を開始する。非競合ベースランダムアクセス手順は、ＲＲＣ（Ｒａｄｉｏ  Ｒｅｓｏｕｒｃｅ  Ｃｏｎｔｒｏｌ：Ｌａｙｅｒ３）層のメッセージ及び物理下りリンク制御チャネルＰＤＣＣＨの制御データにより指示される。
【００６４】
競合ベースランダムアクセス手順について簡単に説明する。まず、端末装置がランダムアクセスプリアンブルを基地局装置に送信する（メッセージ１：（１））。そして、ランダムアクセスプリアンブルを受信した基地局装置が、ランダムアクセスプリアンブルに対する応答（ランダムアクセスレスポンス）を端末装置に送信する（メッセージ２：（２））。端末装置がランダムアクセスレスポンスに含まれているスケジューリング情報を元に上位レイヤ（Ｌａｙｅｒ２／Ｌａｙｅｒ３）のメッセージを送信する（メッセージ３：（３））。基地局装置は、（３）の上位レイヤメッセージを受信できた端末装置に衝突確認メッセージを送信する（メッセージ４：（４））。なお、競合ベースランダムアクセスをランダムプリアンブル送信とも称する。
【００６５】
次に、非競合ベースランダムアクセス手順について簡単に説明する。まず、基地局装置は、プリアンブル番号（または、シーケンス番号）と使用するランダムアクセスチャネル番号を端末装置に通知する（メッセージ０：（１）’）。端末装置は、指定されたプリアンブル番号のランダムアクセスプリアンブルを指定されたランダムアクセスチャネルＲＡＣＨに送信する（メッセージ１：（２）’）。そして、ランダムアクセスプリアンブルを受信した基地局装置が、ランダムアクセスプリアンブルに対する応答（ランダムアクセスレスポンス）を端末装置に送信する（メッセージ２：（３）’）。ただし、通知されたプリアンブル番号の値が０の場合は、競合ベースランダムアクセス手順を行なう。なお、非競合ベースランダムアクセス手順を専用プリアンブル送信とも称する。
【００６６】
[上りリンクデータ送信]
上りリンクデータの送信について以下に説明する。物理上りリンク制御チャネルＰＵＣＣＨは、物理下りリンク共用チャネルＰＤＳＣＨで送信される下りリンクデータの応答（ＡＣＫ／ＮＡＣＫ）、下りリンクの無線チャネル品質情報（Ｃｈａｎｎｅｌ  Ｑｕａｌｉｔｙ  Ｉｎｄｉｃａｔｏｒ：ＣＱＩ）、上りリンクデータの送信要求（スケジューリングリクエスト（Ｓｃｈｅｄｕｌｉｎｇ  Ｒｅｑｕｅｓｔ：ＳＲ））の送信に使用される。端末装置が上りリンクデータの送信要求を行う場合、基地局装置から割り当てられた物理上りリンク制御チャネルＰＵＣＣＨを利用して、スケジューリングリクエストを基地局装置に送信する。
【００６７】
スケジューリングリクエスト送信後、基地局装置から物理上りリンク共用チャネルＰＵＳＣＨのリソースを割り当てられた場合、端末装置は、割り当てられた物理上りリンク共用チャネルＰＵＳＣＨのリソースで端末装置の送信データのバッファ状態情報を示すバッファステータスレポート（Ｂｕｆｆｅｒ  Ｓｔａｔｕｓ  Ｒｅｐｏｒｔ：ＢＳＲ）を送信する。なお、基地局装置は、バッファステータスレポートに基づいて端末装置への上りリンクデータスケジューリングを行う。
【００６８】
スケジューリングリクエスト送信後、基地局装置から物理上りリンク共用チャネルＰＵＳＣＨのリソースを割り当てられない場合、端末装置は、再度、スケジューリングリクエストを送信する。スケジューリングリクエストの再送を繰り返しても基地局装置から物理上りリンク共用チャネルＰＵＳＣＨのリソースを割り当てられない場合、端末装置は、割り当てられている物理上りリンク制御チャネルＰＵＣＣＨおよび上りリンク参照信号を解放（Ｒｅｌｅａｓｅ）して、スケジューリングリクエストを目的としたランダムアクセス手順を実行する。なお、ランダムアクセス手順によるスケジューリングリクエストでは、端末装置は、メッセージ３でバッファステータスレポートを送信する。
【００６９】
[ＭＡＣ層機能の詳細]
端末装置のＭＡＣ層の機能について、より詳細に以下に説明する。ＭＡＣ層は、各論理チャネルをトランスポートチャネルにマッピングする機能を持っている。また、優先度に応じて論理チャネルから送信データを生成する機能を持っている。この手順は論理チャネル優先順位付け（Ｌｏｇｉｃａｌ  Ｃｈａｎｎｅｌ  Ｐｒｉｏｒｉｔｉｚａｔｉｏｎ：ＬＣＰ）手順と呼ばれている。基本的なＬＣＰ手順は、各論理チャネルの優先度と、無線ベアラのＱｏＳに対応する一定期間内に送信しなければならない送信ビットレート（Ｐｒｉｏｒｉｔｉｚｅｄ  Ｂｉｔ  Ｒａｔｅ：ＰＢＲ）とを考慮して送信データの送信優先順位を決定し、上りリンクグラントを受信した時点での送信優先順位の高いデータから送信データを生成する。基地局装置との接続時にＭＡＣ層は、各ＲＢの論理チャネル番号、論理チャネルの優先度とＰＢＲ等の情報をＲＲＣ層から取得する。
【００７０】
また、ＭＡＣ層は、各論理チャネルに対応する送信バッファのデータ量（送信バッファ状況）を通知する機能を持っている。この機能をバッファステータスレポート（Ｂｕｆｆｅｒ  Ｓｔａｔｕｓ  Ｒｅｐｏｒｔ：ＢＳＲ）という。また、バッファステータスレポートを送信バッファ量報告とも称する。ＢＳＲでは、各論理チャネルを論理チャネルグループ（Ｌｏｇｉｃａｌ  Ｃｈａｎｎｅｌ  Ｇｒｏｕｐ：ＬＣＧ）に割り当て、各ＬＣＧに対する送信バッファ量（バッファ状態）をＭＡＣ層のメッセージ（ＭＡＣ  ＣＥ）として基地局装置に通知する。
【００７１】
[無線リソース制御接続再確立]
端末装置は、例えば、基地局装置から通知された無線リソース制御接続再設定メッセージに含まれる一部あるいはすべての設定に従えない場合であり、かつＡＳ層のセキュリティが活性状態（Ａｃｔｉｖａｔｅｄ）である場合や、無線リンクが失敗した場合（（１）物理層における問題を検出したときに計時が開始されるタイマーＴ３１０が満了した場合、（２）測定時に設定され、タイマーＴ３１０計時中に測定報告がトリガされたときに計時が開始されるタイマーＴ３１２が満了した場合、（３）無線リソース制御接続要求メッセージ送信時に計時が開始されるタイマーＴ３００および無線リソース制御接続再確立要求メッセージ送信時に計時が開始されるタイマーＴ３０１およびモビリティ制御情報を含む無線リソース制御接続再設定メッセージを受信したときに計時を開始するタイマーＴ３０４および無線リソース制御接続再確立手順をはじめる際に計時を開始するタイマーＴ３１１の何れも計時中でないときにＭＡＣ層からランダムアクセス問題が示された場合、（４）ＲＬＣ層から再送回数の最大数に達していることが通知された場合、など）であり、かつＡＳ層のセキュリティが活性状態（Ａｃｔｉｖａｔｅｄ）である場合や、ハンドオーバが失敗した場合などに、コネクティッド状態（無線リソース制御接続）を維持するために、無線リソース制御接続再確立手順を実行する。
【００７２】
接続再確立は、接続を試みたセル（の基地局装置）が準備できている（有効な端末装置のコンテキストを持っている）場合にのみ成功する。ただし、端末装置のコンテキストを持っていない基地局装置が、当該端末装置のコンテキストを持っている基地局装置から有効なコンテキストを取得することで接続再確立を成功させることも可能となる。
【００７３】
接続再確立手順として、端末装置は、まず、タイマーＴ３１０やタイマーＴ３１２が計時中であればそれぞれの計時を停止し、タイマーＴ３１１の計時を開始する。次に、ＳＲＢ０以外の無線ベアラを一時中断（Ｓｕｓｐｅｎｄ）する。次にＭＡＣ層をリセットし、ＭＡＣ層や物理層に標準（Ｄｅｆａｕｌｔ）の設定を適用してセル選択手順を開始する。
【００７４】
接続再確立手順により最適なセルが選択されると、端末装置は、タイマーＴ３１１を停止し、タイマーＴ３０１の計時を開始し、選択されたセルにおいて、基地局装置に接続再確立要求メッセージを送信する。接続再確立要求メッセージには再設立の理由（再設定失敗やハンドオーバ失敗やその他の失敗など）を示す情報が含まれる。
【００７５】
接続再確立要求メッセージを送信した端末装置は、基地局装置から接続再確立メッセージを受信すると、タイマーＴ３０１の計時を停止し、ＳＲＢ１のＰＤＣＰとＲＬＣを再確立する。さらに無線リソースの設定を行い、一時中断していたＳＲＢ１を再開（Ｒｅｓｕｍｅ）する。そして、接続再確立をおこなう前の設定を用いて秘匿化（Ｉｎｔｅｇｒｉｔｙ）と暗号化（Ｃｉｐｈｅｒｉｎｇ）を行い、正常に処理が完了した場合には無線リソース制御再確立完了メッセージを基地局装置に通知する。
【００７６】
接続再確立手順により最適なセルが選択されなかった場合、タイマーＴ３１１が満了し、無線リソース制御接続失敗となり、端末装置はコネクティッド状態からアイドル状態へ遷移する。また、タイマーＴ３０１が満了するか、選択された最適なセルがセル選択基準を満たさないなどの理由で最適なセルでなくなった場合にも無線リソース制御接続失敗となり、端末装置はコネクティッド状態からアイドル状態へ遷移する。
【００７７】
[Ｄ２Ｄ]
Ｄ２Ｄ（デバイス間通信）の中でも、近接した端末装置間のサービス（Ｐｒｏｘｉｍｉｔｙ  ｂａｓｅｄ  Ｓｅｒｖｉｃｅｓ：ＰｒｏＳｅ）として、近接している端末装置を発見するための技術（ＰｒｏＳｅ  Ｄｉｄｃｏｖｅｒｙ）と、端末装置が一つまたは複数の端末装置と直接通信を行うための技術（ＰｒｏＳｅ  Ｃｏｍｍｕｎｉｃａｔｉｏｎ、デバイス間データ通信とも称する）とが含まれる。
【００７８】
Ｄ２Ｄにおいて、端末装置が使用するＤ２Ｄに関するリソース（無線リソース）や設定（コンフィグレーション）は、基地局装置によって設定（制御）されてもよい。すなわち、端末装置が非無線リソース制御接続状態（アイドル状態）にある場合は、報知情報によってＤ２Ｄに関する無線リソースや設定がセル毎に通知されてもよく、端末装置が無線リソース制御接続状態（コネクティッド状態）にある場合は、ＲＲＣメッセージによってＤ２Ｄ通信に関する無線リソースや設定が通知されてもよい。すなわち、Ｄ２Ｄ通信は、端末装置同士の直接通信が可能な（Ｄ２Ｄ  ｃａｐａｂｌｅ、Ｄ２Ｄ  ｓｕｐｐｏｒｔｅｄ）端末装置と、かかる端末装置同士の直接通信のためのリソースの制御可能な基地局装置によって実現される。
【００７９】
ＰｒｏＳｅ  Ｃｏｍｍｕｎｉｃａｔｉｏｎ（デバイス間データ通信）において、通信がグループキャストあるいはブロードキャストで行われる場合は、ＰｒｏＳｅ  Ｄｉｓｃｏｖｅｒｙによる通信相手発見のステップは必ずしも必要ではない。
【００８０】
また、ＰｒｏＳｅ  Ｃｏｍｍｕｎｉｃａｔｉｏｎ（デバイス間データ通信）において、スケジューリング割り当て（Ｓｃｈｅｄｕｌｉｎｇ  Ａｓｓｉｇｎｍｅｎｔｓ：ＳＡ）を送信するための無線リソースは、ＳＡ用にプールされたリソースプール（ＳＡリソースプール）の中から端末装置に提供される。送信（Ｓｏｕｒｃｅ）側の端末装置は、リソースプールに含まれる無線リソース（時間、および周波数）でＳＡを送信する。受信（Ｔａｒｇｅｔ、Ｄｅｓｔｉｎａｔｉｏｎ）側の端末装置は、リソースプールに含まれる無線リソース（時間、および周波数）でＳＡを受信する。
【００８１】
また、ＰｒｏＳｅ  Ｃｏｍｍｕｎｉｃａｔｉｏｎ（デバイス間データ通信）において、Ｄ２Ｄに関する送信データ（デバイス間で送受信するデータ）を送信するための無線リソースは、当該データ用に用意されたリソースプール（Ｄ２Ｄデータリソースプール）の中から端末装置に提供される。送信側の端末装置はリソースプールから指定される無線リソース（時間、および周波数）を用いてＤ２Ｄに関する送信データを送信する。また、受信側の端末装置はリソースプールによって指定される無線リソース（時間、および周波数）においてＤ２Ｄに関するデータを受信する。リソースプールは、周波数情報、割り当てられるリソースブロックの範囲を示す情報や、リソースプールが開始されるフレーム番号またはサブフレーム番号とオフセット値の情報などを用いて示されてもよい。
【００８２】
ここで、ＳＡに用いられる無線リソースがプールされたリソースプール（第１のリソースプール）と、Ｄ２Ｄに関する送信データに用いられる無線リソースがプールされたリソースプール（第２のリソースプール）は、報知情報によって予め設定（予約）されていてもよいし、基地局装置から端末装置ごとに個別に通知（あるいは報知）されてもよいし、他の端末装置から通知（あるいは報知）されてもよいし、事前設定（ｐｒｅ−ｃｏｎｆｉｇｕｒｅｄ）されていてもよいし、準静的（ｓｅｍｉ−ｓｔａｔｉｃ）に割り当てられていてもよい。
【００８３】
事前設定によって割り当てられる場合、この設定は、典型的にはＳＩＭ（Ｓｕｂｓｃｒｉｂｅｒ  Ｉｄｅｎｔｉｔｙ  Ｍｏｄｕｌｅ）に記録されてもよい。ＳＩＭはハードウェアによって提供されるＩＣカードでも良いし、ソフトウェアによって提供されてもよい。
【００８４】
ここで、端末装置に対してリソースプールからデバイス間データ通信に関する無線リソース（ＳＡ、Ｄ２Ｄに関する送信データ）を割り当てる方法として、端末装置が基地局装置へＤ２Ｄに関する送信データがあることを通知することによって、基地局装置から端末装置に対して個別に送信リソースを割り当てる方法（Ｍｏｄｅ１あるいはスケジュール型（Ｓｃｈｅｄｕｌｅｄ）とも称する）を用いてもよいし、また、端末装置が報知情報や予め設定（予約）されたリソースプールから送信リソースを選択して用いる方法（Ｍｏｄｅ２あるいは自律型（Ａｕｔｏｎｏｍｏｕｓ）とも称する）とが用いられてもよい。
【００８５】
上記Ｍｏｄｅ１は、端末装置がカバレッジ内（ｉｎ−ｃｏｖｅｒａｇｅ）とみなされる範囲に位置しているときに使用され、Ｍｏｄｅ２は端末装置がカバレッジ内とみなされる範囲に位置していない（カバレッジ外（Ｏｏｕｔ−ｏｆ−ｃｏｖｅｒａｇｅ））か、カバレッジ内において基地局装置によってＮｏｄｅ２のリソース使用が許可されている（報知情報にＭｏｄｅ２の送信リソースが割り当てられている）場合に使用される。なお、端末装置は、基地局装置から割り当てられた無線リソースを用いている場合（すなわちＭｏｄｅ１）であっても、ＲＲＣ無線リソース再接続手順中などにおいて、端末装置が選択した無線リソースを一時的に用いる（すなわちＭｏｄｅ２を用いる）場合がある。
【００８６】
デバイス間データ通信の利用が許可された端末装置は、デバイス間データ通信をサポートしている基地局装置によってＭｏｄｅ２データ通信の使用が許可される場合にはアイドル状態においてＭｏｄｅ２のデータ通信を行ない、Ｍｏｄｅ２データ通信の使用が許可されない場合はＭｏｄｅ１のデータ通信を行うために基地局装置に接続するようにしてもよい。また、基地局装置がデバイス間データ通信をサポートしていない場合には、端末装置がアイドル状態であればデバイス間データ通信をサポートする基地局装置へのセル再選択を実施し、コネクティッド状態であれば、基地局装置に対してデバイス間データ通信の希望を示す情報（希望するサービスの識別子や周波数情報など）を通知してもよい。あるいは、デバイス間データ通信の希望を示す情報を認識できない基地局装置に対してはマルチキャスト・ブロードキャストサービスの希望情報を代わりに通知するようにしてもよい。
【００８７】
ＰｒｏＳｅ  Ｃｏｍｍｕｎｉｃａｔｉｏｎでは、１対Ｍ（Ｍは自然数）のブロードキャスト通信が用いられる場合、ある端末装置が送信する信号は、他の複数の端末装置が受信することができ、送信する端末装置と受信する端末装置は役割を入れ替えることも可能である。また、ブロードキャスト通信は、公安（Ｐｕｂｌｉｃ  ｓａｆｅｔｙ）目的の場合は、基地局装置によるカバレッジ外であっても行えるようにする必要がある。また、ブロードキャスト通信は、専用の周波数（Ｄｅｄｉｃａｔｅｄ  ｃａｒｒｉｅｒ）および基地局装置を介する通常の通信サービスに用いられる周波数の両方をサポートする。また、ブロードキャスト通信は一方向通信であるため、レイヤ２（ＭＡＣ／ＲＬＣ／ＰＤＣＰ層）でのフィードバックを想定しない。すなわち、ＭＡＣ層ではＨＡＲＱによる再送制御が行われず、ＲＬＣ層ではＡＲＱによる誤り訂正を行わない非応答モード（Ｕｎａｃｋｎｏｗｌｅｄｇｅ  Ｍｏｄｅ：ＵＭ）で通信が行われる。１対１の通信が用いられる場合には、上記１対Ｍのブロードキャスト通信を適用（Ｍ＝１）することも考えられるし、ユニキャスト通信を行うことにより、レイヤ２でのフィードバックを行うことも考えられる。
【００８８】
また、デバイス間データ通信を行うためのパラメータとして、ＳＡプールのタイプ情報（Ｍｏｄｅ１かＭｏｄｅ２か共通か）や、ＳＡ期間情報（ＳＡ送信リソースの配置周期）や、Ｍｏｄｅ２のデータ送信に用いるサブフレーム情報や、ＳＡリソースプールの物理リソースブロック位置情報（開始位置や終了位置）などが、基地局装置（および基地局装置のカバレッジ外の端末装置に情報を転送する端末装置）から端末装置に報知または通知される。
【００８９】
また、デバイス間データ通信を行うための論理チャネルとして、ＰｒｏＳｅ  Ｃｏｍｍｕｎｉｃａｔｉｏｎ  Ｔｒａｆｆｉｃ  Ｃｈａｎｎｅｌ（ＰＴＣＨ）が定義され、デバイス間データ通信を行うためのトランスポートチャネルとして、ＰｒｏＳｅ  Ｃｏｍｍｕｎｉｃａｔｉｏｎ  Ｓｈａｒｅｄ  Ｃｈａｎｎｅｌ（ＰＳＣＨ）が定義される。デバイス間データ通信では、論理チャネルのＰＴＣＨがトランスポートチャネルのＰＳＣＨにマッピングされる。
【００９０】
デバイス間データ通信のＭＡＣ層のパラメータとして、送信元の識別子（Ｓｏｕｒｃｅ  Ｌａｙｅｒ２  ＩＤ）と送信先の識別子（Ｄｅｓｔｉｎａｔｉｏｎ  Ｌａｙｅｒ２  ＩＤ）が設定される。２つの識別子と論理チャネルの識別子とに基づき、各々の組み合わせ毎にＰＤＣＰ層とＲＬＣ層のエンティティのペアが確立される。ＭＡＣ層は、送信元の識別子と送信先の識別子が同一のＭＡＣ  ＳＤＵを一つのＭＡＣ  ＰＤＵに多重してもよい。また、同一の送信元の識別子と送信先の識別子のＭＡＣ  ＳＤＵであれば、複数の論理チャネルのＭＡＣ  ＳＤＵを一つのＭＡＣ  ＰＤＵに多重してもよい。
【００９１】
また、デバイス間データ通信で使用される一つの無線ベアラは、一つの送信先の識別子（Ｄｅｓｔｉｎａｔｉｏｎ  Ｌａｙｅｒ２  ＩＤ）に対してのみマッピングされる。なお、複数の無線ベアラが一つの送信先の識別子に対してマッピングされてもよい。
【００９２】
以上の事項を考慮しつつ、以下、添付図面を参照しながら本発明の適切な実施形態について詳細に説明する。なお、本発明の実施形態の説明において、本発明の実施形態に関連した公知の機能や構成についての具体的な説明が、本発明の実施形態の要旨を不明瞭にすると判断される場合には、その詳細な説明を省略する。
【００９３】
＜第１の実施形態＞
本発明の第１の実施形態について以下に説明する。
【００９４】
図１は、本発明の第１の実施形態における端末装置１の一例を示すブロック図である。本端末装置１は、受信部１０１、復調部１０２、復号部１０３、受信データ制御部１０４、物理レイヤ制御部１０５、送信データ制御部１０６、符号部１０７、変調部１０８、送信部１０９、無線リソース制御部１１０、セル選択部１１１、送信アンテナＴ０１、受信アンテナＲ０１から少なくとも構成される。図中の「部」とは、セクション、回路、構成装置、デバイス、ユニットなど用語によっても表現される、端末装置１の機能および各手順を実現する要素である。
【００９５】
無線リソース制御部１１０は、端末装置１の無線リソース制御を執り行うＲＲＣ（Ｒａｄｉｏ  Ｒｅｓｏｕｒｃｅ  Ｃｏｎｔｒｏｌ）層の各機能を実行する。また、受信データ制御部１０４と送信データ制御部１０６は、データリンク層を管理するＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、ＰＤＣＰ（Ｐａｃｋｅｔ  Ｄａｔａ  Ｃｏｎｖｅｒｇｅｎｃｅ  Ｐｒｏｔｏｃｏｌ）層における各機能を実行する。
【００９６】
なお、端末装置１は、キャリア・アグリゲーション、および／またはデバイス間通信による複数の周波数（周波数帯、周波数帯域幅）またはセルの同一サブフレーム内での送受信処理をサポートするために受信系のブロック（受信部１０１、復調部１０２、復号部１０３、受信アンテナＲ０１）、および複数の周波数（周波数帯、周波数帯域幅）、および送信系のブロック（符号部１０７、変調部１０８、送信部１０９、送信アンテナＴ０１）の一部あるいはすべてを複数備える構成であってもよい。
【００９７】
端末装置１の受信処理に関し、無線リソース制御部１１０より受信データ制御部１０４へ受信データ制御情報が入力され、物理レイヤ制御部１０５には各ブロックを制御するための制御パラメータである物理レイヤ制御情報が入力される。物理レイヤ制御情報は、受信制御情報と送信制御情報によって構成される端末装置１の無線通信制御に必要なパラメータ設定を含む情報である。
【００９８】
物理レイヤ制御情報は、基地局装置２から端末装置１に対して個別（ｄｅｄｉｃａｔｅｄ）に送信される無線接続リソース設定、セル固有の報知情報、またはシステムパラメータなどによって設定され、無線リソース制御部１１０が必要に応じて物理レイヤ制御部１０５へ入力する。物理レイヤ制御部１０５は、受信に関する制御情報である受信制御情報を、受信部１０１、復調部１０２、復号部１０３へ適切に入力する。
【００９９】
受信制御情報は、下りリンクスケジューリング情報として、受信周波数帯域の情報、物理チャネルと物理シグナルに関する受信タイミング、多重方法、無線リソース制御情報などの情報が含まれている。また、受信データ制御情報は、セカンダリセル不活性化タイマー情報、ＤＲＸ制御情報、マルチキャストデータ受信情報、下りリンク再送制御情報などを含む下りリンクの制御情報であり、ＭＡＣ層、ＲＬＣ層、ＰＤＣＰ層におけるそれぞれの下りリンクに関する制御情報が含まれている。
【０１００】
受信信号は、受信アンテナＲ０１を経由して受信部１０１において受信される。受信部１０１は、受信制御情報で通知された周波数と周波数帯域に従って基地局装置２からの信号を受信する。受信された信号は復調部１０２へと入力される。復調部１０２は信号の復調を行う。復調部１０２は、復号部１０３へと復調後の信号を入力する。復号部１０３は、入力された信号を復号し、復号された各データ（下りリンクデータと下りリンク制御データ、下りリンクトランスポートブロックとも称す）を受信データ制御部１０４へと入力する。また、各データと共に基地局装置２から送信されたＭＡＣ制御要素も復号部１０３で復号され、関係するデータは受信データ制御部１０４へと入力される。
【０１０１】
受信データ制御部１０４は、受信したＭＡＣ制御要素に基づく物理レイヤ制御部１０５の制御（例えば、セルの活性化／不活性化、ＤＲＸ制御、送信タイミング調整など）や、復号された各データをバッファリングし、再送されたデータの誤り訂正制御（ＨＡＲＱ）を行う。受信データ制御部１０４へ入力された各データのうち、関係するデータは無線リソース制御部１１０へと入力（転送）される。また、無線リソース制御部１１０へ入力された各データのうち、関係するデータは図示しない非アクセス層レイヤ部へと入力（転送）される。
【０１０２】
セル選択部１１１は、復調部１０２や復号部１０３から、受信した信号および／またはチャネルの測定結果（ＲＳＲＰ、ＲＳＲＱなど）を取得し、さらに、報知情報などから取得したアクセス制限情報やオフセット値などのセル選択パラメータと、必要に応じて無線リソース制御部１１０から入力されるセル選択パラメータとに基づいてセル選択手順を行う機能を有する。また、セル選択部１１１は、無線リソース制御部１１０から入力されるセル再選択条件と関連するセル再選択パラメータに基づいて、同周波数（Ｉｎｔｒａ−ｆｒｅｑｕｅｎｃｙ）、異周波数（Ｉｎｔｅｒ−ｆｒｅｑｕｅｎｃｙ）、異なるＲＡＴの周波数（Ｉｎｔｅｒ−ＲＡＴ）のそれぞれの周辺セルに対してセル再選択手順を行う機能を有する。
【０１０３】
セル選択部１１１は、セル再選択手順において、少なくとも、現在キャンプしている在圏セルの測定結果と、周辺セルの測定結果とを用いて周辺セルの評価（査定、ランキング）を行い、現在の在圏セルよりも更に適切なセルを検出した場合、キャンプするセルを変更する。セル再選択において、測定する周波数のセルは、周波数（ＲＡＴ）ごとに指定される周波数優先度（プライオリティ）に基づいて決まる。
【０１０４】
具体的には、キャンプしている周波数（在圏周波数）の周波数優先度よりも優先度の高い周波数（ＲＡＴ）は、在圏セルの測定結果（受信品質）に関係なく常に測定しなければならないが、キャンプしている周波数の周波数優先度と同じか低い優先度の周波数（ＲＡＴ）は、在圏セルの測定結果（ＲＳＲＰ、ＲＳＲＱ）がそれぞれある閾値よりも低い場合のみ測定してもよい。
【０１０５】
なお、セル選択部１１１は、報知情報で周辺セルの情報（周辺セルリスト）が通知されていた場合、この周辺セルの情報を使用してセル再選択を行うことも可能である。セル選択部１１１が使用する、セル選択手順、および、セル再選択手順に関する複数のパラメータは、無線リソース制御部１１０から設定される。
【０１０６】
また、端末装置１の送信処理に関し、無線リソース制御部１１０より送信データ制御部１０６へ送信データ制御情報が入力され、物理レイヤ制御部１０５には各ブロックを制御するための制御パラメータである物理レイヤ制御情報が入力される。物理レイヤ制御部１０５は、送信に関する制御情報である送信制御情報を、符号部１０７、変調部１０８、送信部１０９へ適切に入力する。送信制御情報は、上りリンクスケジューリング情報として、符号化情報、変調情報、送信周波数帯域の情報、物理チャネルと物理シグナルに関する送信タイミング、多重方法、無線リソース配置情報などの情報が含まれている。
【０１０７】
また、送信データ制御情報は、ＤＴＸ制御情報、ランダムアクセス設定情報、上りリンク共用チャネル情報、論理チャネルプライオリティ情報、リソース要求設定情報、セルグループ情報、上りリンク再送制御情報、バッファステータスレポートなどを含む上りリンクの制御情報である。無線リソース制御部１１０は、複数のセルにそれぞれ対応した複数のランダムアクセス設定情報を送信データ制御部１０６に設定してもよい。
【０１０８】
また、無線リソース制御部１１０は、上りリンク送信タイミングの調整に用いる送信タイミング調整情報と送信タイミングタイマーを管理し、セル毎（またはセルグループ毎、ＴＡグループ毎）に上りリンク送信タイミングの状態（送信タイミング調整状態または送信タイミング非調整状態）を管理する。送信タイミング調整情報と送信タイミングタイマーは、送信データ制御情報に含まれる。
【０１０９】
また、無線リソース制御部１１０は、受信データ制御部１０４から入力されたＲＲＣメッセージを解析し、ＡＳ機能によるアクセス規制に関する情報を取得する。
【０１１０】
また、無線ベアラにマッピングされたデータ（ＩＰパケット）は、送信データ制御部１０６において、デバイス間データ通信で用いられる論理チャネルであるＰＴＣＨにマッピングされ、ＰＴＣＨにマッピングされたデータはデバイス間データ通信で用いられるトランスポートチャネルのＰＳＣＨにマッピングされてもよい。これらのマッピングの一部あるいは全てを認識あるいは制御することにより、無線リソース制御部１１０は、当該データをデバイス間データ通信のデータとみなしてもよい。
【０１１１】
なお、複数の上りリンク送信タイミングの状態を管理する必要がある場合、送信データ制御部１０６は、複数のそれぞれのセル（またはセルグループ、ＴＡグループ）の上りリンク送信タイミングに対応する送信タイミング調整情報を管理する。リソース要求設定情報には、少なくとも最大送信カウンタ設定情報と無線リソース要求禁止タイマー情報とが含まれている。無線リソース制御部１１０は、複数のセルにそれぞれ対応した複数のリソース要求設定情報を送信データ制御部１０６に設定してもよい。
【０１１２】
端末装置１で生起した送信データ（上りリンクデータと上りリンク制御データ、上りリンクトランスポートブロックとも称す）は、無線リソース制御部１１０（あるいは他の上位レイヤ）より任意のタイミングで送信データ制御部１０６に入力される。このとき、送信データ制御部１０６は、入力された送信データの量（上りリンクバッファ量）を計算する。また、送信データ制御部１０６は、入力された送信データが制御平面に属するデータなのか、ユーザ平面に属するデータなのかを判別する機能を有する。さらに、送信データ制御部１０６は、入力された送信データが基地局装置２に対する送信データ（第１の送信データ）なのかＤ２Ｄに関する送信データ（第２の送信データ）なのかを判別する機能を有する。
【０１１３】
また、図示しない無線リソース制御部１１０の上位レイヤによって無線ベアラにマッピングされたデバイス間データ通信のデータ（ＩＰパケット）が、送信データ制御部１０６において、デバイス間データ通信で用いられる論理チャネルであるＰＴＣＨにマッピングされ、ＰＴＣＨにマッピングされたデータがデバイス間データ通信で用いられるトランスポートチャネルのＰＳＣＨにマッピングされてもよい。これらのマッピングの一部あるいは全てを認識あるいは制御することにより、無線リソース制御部１１０は、当該データをデバイス間データ通信のデータとみなしてもよい。
【０１１４】
また、送信データ制御部１０６は、送信データが入力されたときに、送信データ制御部１０６内（図示せず）の上りリンクバッファに送信データを格納する。また、送信データ制御部１０６は、上りリンクバッファに格納された送信データの優先度などに基づき、多重化およびアセンブルを行ないＭＡＣ  ＰＤＵを生成する。そして、送信データ制御部１０６は、入力された送信データの送信に必要な無線リソースが端末装置１に対して割り当てられているかを判断する。送信データ制御部１０６は、無線リソース割り当てに基づいて、物理上りリンク共用チャネルＰＵＳＣＨ、物理上りリンク制御チャネル（ＳＲ−ＰＵＣＣＨ）を用いた無線リソース要求、または物理ランダムアクセスチャネルを用いた無線リソース要求のいずれか一つを選択し、選択したチャネルを送信するための制御処理を物理レイヤ制御部１０５に対して要求する。ここで、無線リソース要求は、第１の送信データと第２の送信データのそれぞれに対して独立して行うようにしてもよい。
【０１１５】
また、送信データ制御部１０６は、入力された送信データが基地局装置２に対する通常の送信データ（第１の送信データ）であるか、または、別の端末装置１に対するデバイス間データ通信の送信データ（第２の送信データ）であるかに基づいて、それぞれ異なるバッファステータスレポートを生成する。換言すれば、送信データ制御部１０６は、通常の送信データのバッファ量に基づくバッファステータスレポート（通常のバッファステータスレポート（Ｎｏｒｍａｌ  ＢＳＲ）、第１のバッファステータスレポート）と、デバイス間データ通信の送信データのバッファ量に基づくバッファステータスレポート（デバイス間データ通信用のバッファステータスレポート（ＰｒｏＳｅ  ＢＳＲ）、第２のバッファステータスレポート）を生成する。また、符号部１０７は、送信制御情報に従って各データを適切に符号化し、変調部１０８へと入力する。また、送信データ制御部１０６は、第１の送信データおよび第２の送信データの有無、および／または第１の送信データおよび第２の送信データのバッファ量を無線リソース制御部１１０に通知してもよい。
【０１１６】
符号部１０７は、送信制御情報に従って各データを適切に符号化する。変調部１０８は、符号化された各データを送信するチャネル構造に基づいて適切な変調処理を行う。送信部１０９は、変調処理された各データを周波数領域にマッピングすると共に、周波数領域の信号を時間領域の信号へ変換し、既定の周波数の搬送波にのせて電力増幅を行う。送信部１０９は、また、無線リソース制御部１１０より入力されたセル毎（またセルグループ毎、ＴＡグループ毎）の送信タイミング調整情報に従って上りリンク送信タイミングを調整する。上りリンク制御データが配置される物理上りリンク共用チャネルは、ユーザデータの他に、例えばレイヤ３メッセージ（無線リソース制御メッセージ；ＲＲＣメッセージ）を含めることも可能である。
【０１１７】
図１において、その他の端末装置１の構成要素や、構成要素間のデータ（制御情報）の伝送経路については省略してあるが、端末装置１として動作するために必要なその他の機能を有する複数のブロックを構成要素として持つことは明らかである。例えば、無線リソース制御部１１０の上位には、コアネットワークとの制御を執り行う非アクセス（Ｎｏｎ  Ａｃｃｅｓｓ  Ｓｔｒａｔｕｍ：ＮＡＳ）層（レイヤ）部や、アプリケーション層（レイヤ）部が存在している。また、本実施形態ではＤ２Ｄの制御をＡＳ層の各部が行う例を示すが、これに限らず、Ｄ２Ｄの制御のために独立したＤ２Ｄ制御部が以下に説明するＤ２Ｄに関する制御のすべてあるいは一部を行うようにしてもよい。
【０１１８】
図２は、本発明の第１の実施形態による基地局装置２の一例を示すブロック図である。本基地局装置２は、受信部２０１、復調部２０２、復号部２０３、受信データ制御部２０４、物理レイヤ制御部２０５、送信データ制御部２０６、符号部２０７、変調部２０８、送信部２０９、無線リソース制御部２１０、ネットワーク信号送受信部２１１、送信アンテナＴ０２、受信アンテナＲ０２から少なくとも構成される。図中の「部」とは、セクション、回路、構成装置、デバイス、ユニットなどの用語によっても表現される、基地局装置２の機能および各手順を実行する要素である。
【０１１９】
無線リソース制御部２１０は、基地局装置２の無線リソース制御を執り行うＲＲＣ（Ｒａｄｉｏ  Ｒｅｓｏｕｒｃｅ  Ｃｏｎｔｒｏｌ）層の各機能を実行するブロックである。また、受信データ制御部２０４と送信データ制御部２０６は、データリンク層を管理するＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、ＰＤＣＰ（Ｐａｃｋｅｔ  Ｄａｔａ  Ｃｏｎｖｅｒｇｅｎｃｅ  Ｐｒｏｔｏｃｏｌ）層における各機能を実行するブロックである。
【０１２０】
なお、基地局装置２は、キャリア・アグリゲーションなどによる複数の周波数（周波数帯、周波数帯域幅）またはセルの同一サブフレーム内での送受信処理をサポートするために受信系のブロック（受信部２０１、復調部２０２、復号部２０３、受信アンテナＲ０２）、および複数の周波数（周波数帯、周波数帯域幅）、および送信系のブロック（符号部２０７、変調部２０８、送信部２０９、送信アンテナＴ０２）の一部あるいはすべてを複数備える構成であってもよい。
【０１２１】
無線リソース制御部２１０は、下りリンクデータと下りリンク制御データを送信データ制御部２０６へと入力する。送信データ制御部２０６は、端末装置１へ送信するＭＡＣ制御要素が存在する場合、ＭＡＣ制御要素と各データ（下りリンクデータまたは下りリンク制御データ）を符号部２０７へと入力する。符号部２０７は、入力されたＭＡＣ制御要素と各データを符号化し、変調部２０８へと入力する。変調部２０８は、符号化された信号の変調を行なう。
【０１２２】
また、変調部２０８で変調された信号は送信部２０９に入力される。送信部２０９は、入力された信号を周波数領域にマッピングした後、周波数領域の信号を時間領域の信号へ変換し、既定の周波数の搬送波にのせて電力増幅を行い、送信アンテナＴ０２を経由して信号を送信する。下りリンク制御データが配置される物理下りリンク共用チャネルは、典型的にはレイヤ３メッセージ（ＲＲＣメッセージ）を構成する。
【０１２３】
また、受信部２０１は、端末装置１から受信アンテナＲ０２を経由して受信した信号をベースバンドのデジタル信号に変換する。端末装置１に対して異なる複数の送信タイミングのセルを設定している場合、受信部２０１はセル毎（またセルグループ毎、ＴＡグループ毎）に異なるタイミングで信号を受信する。受信部２０１で変換されたデジタル信号は、復調部２０２へ入力されて復調される。復調部２０２で復調された信号は続いて復号部２０３へと入力される。復号部２０３は、入力された信号を復号し、復号された各データ（上りリンクデータと上りリンク制御データ）を受信データ制御部２０４へと入力する。また、各データと共に端末装置１から送信されたＭＡＣ制御要素も復号部２０３で復号され、関係するデータは受信データ制御部２０４へと入力される。
【０１２４】
受信データ制御部２０４は、受信したＭＡＣ制御要素に基づく物理レイヤ制御部２０５の制御（例えば、パワーヘッドルームレポートに関する制御や、バッファステータスレポートに関する制御など）や、復号された各データをバッファリングし、再送されたデータの誤り訂正制御（ＨＡＲＱ）を行う。受信データ制御部２０４へ入力された各データは、必要に応じて無線リソース制御部２１０へと入力（転送）される。
【０１２５】
また、受信データ制御部２０４は、端末装置１からバッファステータスレポートが復号部２０３から入力された場合、自基地局装置との通信のための送信リソース要求かデバイス間データ通信のための送信リソース要求かを判別し、該端末装置１に割り当てる送信リソースを設定する。
【０１２６】
これら各ブロックの制御に必要な物理レイヤ制御情報は、受信制御情報と送信制御情報によって構成される基地局装置２の無線通信制御に必要なパラメータ設定を含む情報である。物理レイヤ制御情報は、上位のネットワーク装置（ＭＭＥやゲートウェイ装置（ＳＧＷ）、ＯＡＭなど）やシステムパラメータにより設定され、無線リソース制御部２１０が必要に応じて制御部２０４へ入力する。
【０１２７】
物理レイヤ制御部２０５は、送信に関連する物理レイヤ制御情報を送信制御情報として符号部２０７、変調部２０８、送信部２０９の各ブロックに入力し、受信に関連する物理レイヤ制御情報を受信制御情報として受信部２０１、復調部２０２、復号部２０３の各ブロックに適切に入力する。
【０１２８】
受信データ制御情報は、基地局装置２のＭＡＣ層、ＲＬＣ層、ＰＤＣＰ層のそれぞれに対する端末装置１の上りリンクに関する制御情報が含まれている。また、送信データ制御情報は、基地局装置２のＭＡＣ層、ＲＬＣ層、ＰＤＣＰ層のそれぞれに対する端末装置１の下りリンクに関する制御情報が含まれている。すなわち、受信データ制御情報と送信データ制御情報は、端末装置１毎に設定されている。
【０１２９】
ネットワーク信号送受信部２１１は、基地局装置２間あるいは上位のネットワーク装置（ＭＭＥ、ＳＧＷ）と基地局装置２との間の制御メッセージ、またはユーザデータの送信（転送）または受信を行なう。図２において、その他の基地局装置２の構成要素や、構成要素間のデータ（制御情報）の伝送経路については省略してあるが、基地局装置２として動作するために必要なその他の機能を有する複数のブロックを構成要素として持つことは明らかである。例えば、無線リソース制御部２１０の上位には、無線リソース管理（Ｒａｄｉｏ  Ｒｅｓｏｕｒｃｅ  Ｍａｎａｇｅｍｅｎｔ）部や、アプリケーションレイヤ部が存在している。
【０１３０】
次に、図３のフローチャートを用いて、本実施形態における端末装置１による無線リンクの失敗時の接続再確立制御の一例を説明する。
【０１３１】
図３において、端末装置１は、接続を再確立するために、セル選択手順に従いセルを選択する（ステップＳ３１）。例えば、Ｄ２Ｄを行っていた端末装置１は、最後にキャンプしたＤ２Ｄをサポートするセルの情報（セルの識別子や周波数）を保持し、この保持された情報を用いたセル検索を実行し、セルあるいはセルの周波数における最適なセルを検出できなかった場合は、他の周波数を検索対象に含めて最適なセルの検出を行う。何れの検索においても最適なセルが検出できなかった場合は制限セルを検索する。あるいは、保持された情報を用いたセル検索を実行し、セルあるいはセルの周波数における最適なセルを検出できなかった場合に、当該周波数における制限セルを検出するようにしてもよい。あるいは、Ｄ２Ｄをサポートしないセル（例えばＤ２Ｄ情報を報知情報として報知していない（Ｓｙｓｔｅｍ  Ｉｎｆｏｒｍａｔｉｏｎ  Ｂｌｏｃｋ１８を報知していない）セル）を適切なセルとみなさないようにしてもよいし、Ｄ２Ｄをサポートしないセルを制限セルや禁止セルとみなしてもよい。このような処理をタイマーＴ３１１が満了あるいは停止するまで継続するようにしてもよい。
【０１３２】
ステップＳ３２において、ステップＳ３１で最適なセルが見つかったか否かを判断し、最適なセルが見つかった場合はステップＳ３４に遷移し、最適なセルが見つからなかった場合は、処理１を実行する（ステップＳ３３）。
【０１３３】
処理１（ステップＳ３３）として、例えば、Ｄ２Ｄを行っている端末装置１は、自装置がＤ２Ｄをサポートする周波数の制限セルを選択した場合、無線リソース制御部１１０が上位レイヤにＤ２Ｄができないことを示す情報を通知し、Ｄ２Ｄを行わないようにしてもよいし、制限セルにおいてＭｏｄｅ２のデバイス間データ通信を行なってもよい。あるいは、Ｄ２Ｄを行っている端末装置１が、Ｄ２Ｄをサポートする周波数以外の制限セルを選択した場合に、無線リソース制御部１１０が上位レイヤにＤ２Ｄができないことを示す情報を通知し、Ｄ２Ｄを行わないようにしてもよいし、制限セルにキャンプしつつ、他のＤ２Ｄをサポートする周波数においてＭｏｄｅ２のデバイス間データ通信を行なってもよい。適切なセルを選択できなかった端末装置１はアイドル状態に遷移して制限セルにキャンプする。
【０１３４】
ステップＳ３４において、端末装置１は、自装置がキャンプした周波数においてＤ２Ｄを行うことができるか否かを判断し、Ｄ２Ｄを行うことができないと判断した場合は、ステップＳ３６に遷移し、Ｄ２Ｄを行うことができると判断した場合は、処理２を実行する（ステップＳ３５）。
【０１３５】
処理２（ステップＳ３５）として、例えば、端末装置１は、接続再確立要求メッセージを選択したセルにおいて基地局装置２に送信して、接続再確立の残りの手順を行う。ここで、Ｄ２Ｄに関する送信データ（第２の送信データ）や受信データのためのＤＲＢは、接続再確立手順を行う際に一時中断せずに継続するようにしておいてもよい。この場合、端末装置１は、接続再確立手順の実行中において、割り当てられているＭｏｄｅ１のリソースをリリースした後であっても、許可されている場合にＭｏｄｅ２のＤ２Ｄの送受信を行うことができる。さらに、端末装置１は、第２の送信データがある場合、基地局装置２に対して、デバイス間データ通信の送信リソース要求を行う。
【０１３６】
ステップＳ３６において、端末装置１は、後述する処理３を行うか否かの判断を行う。処理３を行う条件としては、（１）端末装置１が、選択したセルを在圏セル（ＰＣｅｌｌ）とする場合にＤ２Ｄの送信を継続することができない状態であり、且つＤ２Ｄに関する送信データがある、（２）端末装置１が、選択したセルを在圏セル（ＰＣｅｌｌ）とする場合にＤ２Ｄの受信を継続することができない状態であり、且つＤ２Ｄを受信中である、（３）選択したセルが報知するシステム情報にＤ２Ｄのサービスが提供されている周波数が含まれ、自装置の興味のある（通信を行っていた）Ｄ２Ｄサービスがその周波数に含まれる、（４）選択したセルが端末装置１による（処理３における）通知をサポートしている、などがあり、また、それらの組み合わせであってもよい。処理３を行う条件を満たす場合は、ステップＳ３７に遷移し、処理３を実行し、条件を満たさない場合は、ステップＳ３８に遷移し、前述の処理４を実行する。
【０１３７】
処理３（ステップＳ３７）として、例えば、端末装置１は、接続再確立要求メッセージを選択したセルにおいて基地局装置２に送信して、接続再確立の残りの手順を行う。接続再確立が成功した場合、自装置がＤ２Ｄに興味があることを示す情報（希望するサービスの識別子や周波数、自装置が希望するサービスを行うことができる（複数の）周波数の情報など）を基地局装置へ送信する。ここで、Ｄ２Ｄに関する送信データ（第２の送信データ）やＤ２Ｄに関する受信データのためのＤＲＢを、接続再確立手順を行う際に一時中断せずに継続するようにしていた場合、接続再確立手順が成功した場合に当該ＤＲＢを一時中断または解放するようにしてもよい。
【０１３８】
処理４（ステップＳ３８）として、例えば、端末装置１は、接続再確立要求メッセージを選択したセルにおいて基地局装置２に送信して、接続再確立の残りの手順を行う。ここで、Ｄ２Ｄに関する送信データ（第２の送信データ）やＤ２Ｄに関する受信データのためのＤＲＢを、接続再確立手順を行う際に一時中断せずに継続するようにしていた場合、接続再確立手順が成功した場合に当該ＤＲＢを一時中断または解放（Ｒｅｌｅａｓｅ）するようにしてもよい。
【０１３９】
このように構成することによって、例えば、端末装置１は、セル選択時にＤ２Ｄを考慮することにより適切なセルを選択することが可能となる。また、接続再確立手順においてＤ２Ｄに関するベアラの制御を行うことにより、効率的な接続再確立が可能となる。また、接続再確立したセルにおいて、必要に応じてＤ２Ｄに関する情報を基地局装置２に通知することができる。
【０１４０】
第１の実施形態によれば、端末装置１が無線リソース制御接続再確立の際に、Ｄ２Ｄの周波数を考慮したセル選択および／または選択したセルにおけるＤ２Ｄの可否状況と自装置のＤ２Ｄの状態に基づいた処理を行うことにより、デバイス間通信を行う際の接続制御を効率的に行うことができる。
【０１４１】
＜第２の実施形態＞
本発明の第２の実施形態について以下に説明する。
【０１４２】
第１の実施形態では、Ｄ２Ｄのサービスを考慮した無線リソース制御接続再確立を行う例を示した。本実施形態では、端末装置１がＤ２Ｄのサービスを考慮して、無線リソース制御接続再確立を行う（継続する）か否かを判断する例について説明する。
【０１４３】
本実施形態で用いられる端末装置１と基地局装置２は、無線リソース制御部１１０が、第１の実施形態と動作が異なるため、それ以外の詳細な説明は省略する。
【０１４４】
本実施形態において、無線リソース制御部１１０は、送信データ制御部１０６へ送信データ制御情報を入力し、物理レイヤ制御部１０５に各ブロックを制御するための制御パラメータである物理レイヤ制御情報を入力する。送信データ制御情報は、ＤＴＸ制御情報、ランダムアクセス設定情報、上りリンク共用チャネル情報、論理チャネルプライオリティ情報、リソース要求設定情報、セルグループ情報、上りリンク再送制御情報、バッファステータスレポートなどを含む上りリンクの制御情報である。また、本実施形態において、無線リソース制御部１１０は、複数のセルにそれぞれ対応した複数のランダムアクセス設定情報を送信データ制御部１０６に設定してもよい。
【０１４５】
また、本実施形態において、無線リソース制御部１１０は、上りリンク送信タイミングの調整に用いる送信タイミング調整情報と送信タイミングタイマーを管理し、セル毎（またはセルグループ毎、ＴＡグループ毎）に上りリンク送信タイミングの状態（送信タイミング調整状態または送信タイミング非調整状態）を管理する。送信タイミング調整情報と送信タイミングタイマーは、送信データ制御情報に含まれる。
【０１４６】
また、本実施形態において、無線リソース制御部１１０は、受信データ制御部１０４から入力されたＲＲＣメッセージを解析し、ＡＳ機能によるアクセス規制に関する情報を取得する。
【０１４７】
また、無線ベアラにマッピングされたデータ（ＩＰパケット）は、送信データ制御部１０６において、デバイス間データ通信で用いられる論理チャネルであるＰＴＣＨにマッピングされ、ＰＴＣＨにマッピングされたデータはデバイス間データ通信で用いられるトランスポートチャネルのＰＳＣＨにマッピングされてもよい。これらのマッピングの一部あるいは全てを認識あるいは制御することにより、無線リソース制御部１１０は、当該データをデバイス間データ通信のデータとみなしてもよい。
【０１４８】
なお、複数の上りリンク送信タイミングの状態を管理する必要がある場合、送信データ制御部１０６は、複数のそれぞれのセル（またはセルグループ、ＴＡグループ）の上りリンク送信タイミングに対応する送信タイミング調整情報を管理する。リソース要求設定情報には、少なくとも最大送信カウンタ設定情報と無線リソース要求禁止タイマー情報とが含まれている。無線リソース制御部１１０は、複数のセルにそれぞれ対応した複数のリソース要求設定情報を送信データ制御部１０６に設定してもよい。
【０１４９】
端末装置１で生起した送信データ（上りリンクデータと上りリンク制御データ、上りリンクトランスポートブロックとも称す）は、無線リソース制御部１１０（あるいは他の上位レイヤ）より任意のタイミングで送信データ制御部１０６に入力される。
【０１５０】
また、本実施形態において、無線リソース制御部１１０は、無線リソース制御接続再確立手順において、セル選択部１１１から取得するセルの選択に関する情報と、送信データ制御部１０６から取得する送信データの有無あるいはバッファ量に基づいて、無線リソース制御接続再確立手順を継続するか否かを判断する。
【０１５１】
次に、図４のフローチャートを用いて、本実施形態における端末装置１による無線リンクの失敗時の接続再確立制御の一例を説明する。
【０１５２】
図４において、端末装置１は、接続を再確立するために、セル選択手順に従いセルを選択する（ステップＳ４１）。例えば、Ｄ２Ｄを行っていた端末装置１は、最後にキャンプしたＤ２Ｄをサポートするセルの情報（セルの識別子や周波数）を保持し、この保持された情報を用いたセル検索を実行し、セルあるいはセルの周波数における最適なセルを検出できなかった場合は、他の周波数を検索対象に含めて最適なセルの検出を行う。何れの検索においても最適なセルが検出できなかった場合は制限セルを検索する。あるいは、保持された情報を用いたセル検索を実行し、セルあるいはセルの周波数における最適なセルを検出できなかった場合に、当該周波数における制限セルを検出するようにしてもよい。あるいは、Ｄ２Ｄをサポートしないセル（例えばＤ２Ｄ情報を報知情報として報知していない（Ｓｙｓｔｅｍ  Ｉｎｆｏｒｍａｔｉｏｎ  Ｂｌｏｃｋ１８を報知していない）セル）を適切なセルとみなさないようにしてもよいし、Ｄ２Ｄをサポートしないセルを制限セルや禁止セルとみなしてもよい。このような処理をタイマーＴ３１１が満了あるいは停止するまで継続するようにしてもよい。
【０１５３】
ステップＳ４２において、ステップＳ４１で最適なセルが見つかったか否かを判断し、最適なセルが見つかった場合はステップＳ４４に遷移し、最適なセルが見つからなかった場合は、処理１を実行する（ステップＳ４３）。
【０１５４】
処理１（ステップＳ４３）として、例えば、Ｄ２Ｄを行っている端末装置１は、自装置がＤ２Ｄをサポートする周波数の制限セルを選択した場合、無線リソース制御部１１０が上位レイヤにＤ２Ｄができないことを示す情報を通知し、Ｄ２Ｄを行わないようにしてもよいし、制限セルにおいてＭｏｄｅ２のデバイス間データ通信をおこなってもよい。あるいは、Ｄ２Ｄを行っている端末装置１が、Ｄ２Ｄをサポートする周波数以外の制限セルを選択した場合に、無線リソース制御部１１０が上位レイヤにＤ２Ｄができないことを示す情報を通知し、Ｄ２Ｄを行わないようにしてもよいし、制限セルにキャンプしつつ、他のＤ２Ｄをサポートする周波数においてＭｏｄｅ２のデバイス間データ通信をおこなってもよい。適切なセルを選択できなかった端末装置１はアイドル状態に遷移して制限セルにキャンプする。
【０１５５】
ステップＳ４４において、端末装置１は、自装置がキャンプした周波数においてＤ２Ｄを行うことができるか否かを判断し、Ｄ２Ｄを行うことができないと判断した場合は、ステップＳ４６に遷移し、Ｄ２Ｄを行うことができると判断した場合は、処理２を実行する（ステップＳ４５）。
【０１５６】
処理２（ステップＳ４５）として、例えば、端末装置１は、接続再確立要求メッセージを選択したセルにおいて基地局装置２に送信して、接続再確立の残りの手順を行う。ここで、Ｄ２Ｄに関する送信データ（第２の送信データ）や受信データのためのＤＲＢは、接続再確立手順を行う際に一時中断せずに継続するようにしておいてもよい。この場合、端末装置１は、接続再確立手順の実行中において、割り当てられているＭｏｄｅ１のリソースをリリースした後であっても、許可されている場合にＭｏｄｅ２のＤ２Ｄの送受信を行うことができる。
【０１５７】
ステップＳ４６において、端末装置１は、後述する処理５を行うか否かの判断を行う。処理５を行う条件としては、（１）一時中断しているＤＲＢに基地局装置２との通常の送受信データのＤＲＢが含まれる、（２）一時中断しているＰＤＣＰ／ＲＬＣエンティティに基地局装置２との間で確立されたＰＤＣＰ／ＲＬＣエンティティが含まれる、（３）選択したセルが報知するシステム情報にＤ２Ｄのサービスが提供されている周波数が含まれ、自装置の興味のある（通信を行っていた）Ｄ２Ｄサービスがその周波数に含まれる、（４）選択したセルが第１の実施形態における処理３の通知をサポートしている、などがあり、また、それらの組み合わせであってもよい。処理５を行う条件を満たす場合は、ステップＳ４７に遷移し、処理５を実行し、条件を満たさない場合は、ステップＳ４８に遷移し、処理６を実行する。
【０１５８】
処理５（ステップＳ４７）として、例えば、端末装置１は、接続再確立要求メッセージを選択したセルにおいて基地局装置２に送信して、接続再確立の残りの手順を行う。ここで、Ｄ２Ｄに関する送信データ（第２の送信データ）やＤ２Ｄに関する受信データのためのＤＲＢを、接続再確立手順を行う際に一時中断せずに継続するようにしていた場合、接続再確立手順が成功した場合に当該ＤＲＢを一時中断または解放（Ｒｅｌｅａｓｅ）するようにしてもよい。また、処理５として第１の実施形態における図３のステップＳ３６を実行するようにしてもよい。
【０１５９】
処理６（ステップＳ４８）として、例えば、端末装置１は、タイマーＴ３１１を停止し、接続再確立手順を中止し、アイドル状態に移行する。
【０１６０】
このように構成することによって、例えば、端末装置１は、セル選択時にＤ２Ｄを考慮することにより適切なセルを選択することが可能となる。また、接続再確立手順においてＤ２Ｄに関するベアラの制御を行うことにより、効率的な接続再確立が可能となる。また、接続再確立したセルにおいて、必要に応じてＤ２Ｄに関する情報を基地局装置２に通知することができる。また、必要に応じて、不要な接続再確立を中止することができる。
【０１６１】
第２の実施形態によれば、端末装置１が無線リソース制御接続再確立の際に、Ｄ２Ｄの周波数を考慮したセル選択および／または選択したセルにおけるＤ２Ｄの可否状況と自装置のＤ２Ｄの状態に基づいた処理を行うことにより、デバイス間通信を行う際の接続制御を効率的に行うことができる。
【０１６２】
上記各実施形態において、基地局装置２は、Ｄ２Ｄを行っている端末装置１による無線リソース制御接続再設立時のセル選択を効率的に行わせるために、端末装置１から通知されたＤ２Ｄの興味（送受信）に関する情報あるいは端末能力情報に基づき、端末装置１に無線リソース制御メッセージとして通知し設定する測定設定の測定対象に当該端末装置１がＤ２Ｄを行うことができる周波数を含めるようにしてもよい。
【０１６３】
上記各実施形態において、基地局装置２の機能は他の装置が実装してもよい。例えば、デバイス間データ通信の親機となる端末装置１が実装してもよいし、基地局装置２のカバレッジ外の第１の端末装置１に対して情報を提供する第２の端末装置１が実装してもよい。
【０１６４】
また、上記各実施形態において、デバイス間データ通信の無線リソース要求時の基地局装置２への接続制御について説明したが、これに限らず、ＰｒｏＳｅ  Ｄｉｄｃｏｖｅｒｙの無線リソース要求に適用してもよい。
【０１６５】
なお、以上説明した実施形態は単なる例示に過ぎず、様々な変形例、置換例を用いて実現することができる。例えば、上りリンク送信方式は、ＦＤＤ（周波数分割復信）方式とＴＤＤ（時分割復信）方式のどちらの通信システムに対しても適用可能である。また、実施形態で示される各パラメータや各イベントの名称は、説明の便宜上呼称しているものであって、実際に適用される名称と本発明の実施形態の名称とが異なっていても、本発明の実施形態において主張する発明の趣旨に影響するものではない。
【０１６６】
また、各実施形態で用いた「接続」とは、ある装置と別のある装置とを、物理的な回線を用いて直接接続される構成にだけ限定されるわけではなく、論理的に接続される構成や、無線技術を用いて無線接続される構成を含む。
【０１６７】
また、端末装置１とは、可搬型あるいは可動型の移動局装置のみならず、屋内外に設置される据え置き型、または非可動型の電子機器、たとえば、ＡＶ機器、キッチン機器、掃除・洗濯機器、空調機器、オフィス機器、自動販売機、その他生活機器や測定機器、車載装置、さらに身に着けることが可能なウェアラブル機器やヘルスケア機器などに対し通信機能を搭載したものを含む。また、端末装置１は、人対人または人対機器の通信だけではなく、機器対機器の通信（Ｍａｃｈｉｎｅ  Ｔｙｐｅ  Ｃｏｍｍｕｎｉｃａｔｉｏｎ、マシンタイプ通信）にも用いられる。
【０１６８】
端末装置１は、ユーザ端末、移動局装置、通信端末、移動機、端末、ＵＥ（Ｕｓｅｒ  Ｅｑｕｉｐｍｅｎｔ）、ＭＳ（Ｍｏｂｉｌｅ  Ｓｔａｔｉｏｎ）とも称される。基地局装置２は、無線基地局装置、基地局、無線基地局、固定局、ＮＢ（ＮｏｄｅＢ）、ｅＮＢ（ｅｖｏｌｖｅｄ  ＮｏｄｅＢ）、ＢＴＳ（Ｂａｓｅ  Ｔｒａｎｓｃｅｉｖｅｒ  Ｓｔａｔｉｏｎ）、ＢＳ（Ｂａｓｅ  Ｓｔａｔｉｏｎ）とも称される。
【０１６９】
なお、基地局装置２は、３ＧＰＰが規定するＵＭＴＳにおいてＮＢと称され、ＥＵＴＲＡおよびＡｄｖａｎｃｅｄ  ＥＵＴＲＡにおいてｅＮＢと称される。なお、３ＧＰＰが規定するＵＭＴＳ、ＥＵＴＲＡおよびＡｄｖａｎｃｅｄ  ＥＵＴＲＡにおける端末装置１はＵＥと称される。
【０１７０】
また、説明の便宜上、機能的なブロック図を用いて、端末装置１および基地局装置２の各部の機能またはこれらの機能の一部を実現するための方法、手段、またはアルゴリズムのステップについて具体的に組み合わせて記載したが、これらは、ハードウェア、プロセッサによって実行されるソフトウェアモジュール、または、これらを組み合わせたものによって、直接的に具体化され得る。
【０１７１】
もしハードウェアによって実装されるのであれば、端末装置１および基地局装置２は説明したブロック図の構成以外に端末装置１および基地局装置２へ電力を供給する給電装置やバッテリー、液晶などのディスプレイ装置及びディスプレイ駆動装置、メモリ、入出力インターフェース及び入出力端子、スピーカー、その他の周辺装置によって構成される。
【０１７２】
もしソフトウェアによって実装されるのであれば、その機能は、コンピュータ読み取り可能な媒体上の一つ以上の命令またはコードとして保持され、または伝達され得る。コンピュータ読み取り可能な媒体は、コンピュータプログラムをある場所から別の場所への持ち運びを助ける媒体を含むコミュニケーションメディアやコンピュータ記録メディアの両方を含む。
【０１７３】
そして、一つ以上の命令またはコードをコンピュータ読み取り可能な記録媒体に記録し、この記録媒体に記録された一つ以上の命令またはコードをコンピュータシステムに読み込ませ、実行することにより端末装置１や基地局装置２の制御を行なっても良い。なお、ここでいう「コンピュータシステム」とは、ＯＳや周辺機器等のハードウェアを含むものとする。
【０１７４】
本発明の各実施形態に記載の動作をプログラムで実現してもよい。本発明の各実施形態に関わる端末装置１および基地局装置２で動作するプログラムは、本発明の各実施形態に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。
【０１７５】
また、プログラムを実行することにより、上述した実施形態の機能が実現されるだけでなく、そのプログラムの指示に基づき、オペレーティングシステムあるいは他のアプリケーションプログラム等と共同して処理することにより、本発明の各実施形態の機能が実現される場合もある。
【０１７６】
また、「コンピュータ読み取り可能な記録媒体」とは、半導体媒体（例えば、ＲＡＭ、不揮発性メモリカード等）、光記録媒体（例えば、DVD、MO、MD、CD、BD等）、磁気記録媒体（例えば、磁気テープ、フレキシブルディスク等）等の可搬媒体、コンピュータシステムに内蔵されるディスクユニット等の記憶装置のことをいう。さらに、「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。
【０１７７】
また、上記プログラムは、前述した機能の一部を実現するためのものであっても良く、さらに、前述した機能をコンピュータシステムに既に記録されているプログラムとの組み合わせで実現できるものであっても良い。
【０１７８】
また、上記各実施形態に用いた端末装置１および基地局装置２の各機能ブロック、または諸特徴は、本明細書で述べられた機能を実行するように設計された汎用用途プロセッサ、デジタルシグナルプロセッサ（ＤＳＰ）、特定用途向けの集積回路（ＡＳＩＣ）あるいは一般用途向けの任意の集積回路（ＩＣ）、フィールドプログラマブルゲートアレイシグナル（ＦＰＧＡ）、またはその他のプログラマブル論理デバイス、ディスクリートゲートまたはトランジスタロジック、ディスクリートハードウェア部品、またはこれらを組み合わせたものによって、実装または実行され得る。
【０１７９】
汎用用途プロセッサは、マイクロプロセッサであっても良いが、代わりにプロセッサは従来型のプロセッサ、コントローラ、マイクロコントローラ、またはステートマシンであっても良い。汎用用途プロセッサ、または上述した各回路は、デジタル回路で構成されていてもよいし、アナログ回路で構成されていてもよい。
【０１８０】
プロセッサはまた、コンピューティングデバイスを組み合わせたものとして実装されても良い。例えば、ＤＳＰとマイクロプロセッサ、複数のマイクロプロセッサ、ＤＳＰコアと接続された一つ以上のマイクロプロセッサ、またはその他のそのような構成を組み合わせたものである。
【０１８１】
以上、この発明の実施形態について具体例に基づいて詳述してきたが、本発明の各実施形態の趣旨ならびに特許請求の範囲は、これらの具体例に限定されないことは明らかであり、この発明の要旨を逸脱しない範囲の設計変更等も含まれる。すなわち、本明細書の記載は例示説明を目的としたものであり、本発明の各実施形態に対して何ら制限を加えるものではない。
【０１８２】
また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も本発明の技術的範囲に含まれる。
【０１８３】
〔まとめ〕
（１）以上のように、本発明では、上記の目的を達成するために以下のような手段を講じた。すなわち、本発明の実施形態における端末装置は、基地局装置とのデータ通信と、基地局装置により設定される無線リソースを用いて端末装置間の直接データ通信であるデバイス間データ通信とを行う端末装置であって、基地局装置への無線リソース制御接続再確立時に、少なくとも基地局装置のセルにおけるデバイス間データ通信の可否状況と、端末装置におけるデバイス間データ通信のデータの有無とに基づいて、基地局装置へ通知するデバイス間データ通信に関する情報を選択して通知する。
【０１８４】
（２）また、本発明の実施形態における端末装置は、基地局装置とのデータ通信と、基地局装置により設定される無線リソースを用いて端末装置間の直接データ通信であるデバイス間データ通信とを行う端末装置であって、基地局装置への無線リソース制御接続再確立時に、少なくとも基地局装置のセルにおけるデバイス間データ通信の可否状況に基づいて、デバイス間データ通信のデータ無線ベアラの継続あるいは一時中断あるいは解放の制御を行う。
【０１８５】
（３）また、本発明の実施形態における端末装置において、端末装置は、さらに無線リソース制御接続再確立時に、端末装置で一時中断しているデータ無線ベアラに基地局装置との間で確立したデータ無線ベアラが含まれない場合に、リソース制御接続再確立手順を中止する。
【０１８６】
（４）また、本発明の実施形態における制御方法は、基地局装置とのデータ通信と、基地局装置により設定される無線リソースを用いて端末装置間の直接データ通信であるデバイス間データ通信とを行う端末装置に適用される制御方法であって、基地局装置への無線リソース制御接続再確立時に、少なくとも基地局装置のセルにおけるデバイス間データ通信の可否状況と、端末装置におけるデバイス間データ通信のデータの有無とに基づいて、基地局装置へ通知するデバイス間データ通信に関する情報を選択して通知するステップを少なくとも含む。
【０１８７】
（５）また、本発明の実施形態における制御方法は、基地局装置とのデータ通信と、基地局装置により設定される無線リソースを用いて端末装置間の直接データ通信であるデバイス間データ通信とを行う端末装置に適用される制御方法であって、基地局装置への無線リソース制御接続再確立時に、少なくとも基地局装置のセルにおけるデバイス間データ通信の可否状況に基づいて、デバイス間データ通信のデータ無線ベアラの継続あるいは一時中断あるいは解放の制御を行うステップを少なくとも含む。
【０１８８】
（６）また、本発明の実施形態における通知方法において、無線リソース制御接続再確立時に、端末装置で一時中断しているデータ無線ベアラに基地局装置との間で確立したデータ無線ベアラが含まれない場合に、無線リソース制御接続再確立手順を中止するステップをさらに含む。
【０１８９】
（７）また、本発明の実施形態における集積回路は、基地局装置とのデータ通信と、基地局装置により設定される無線リソースを用いて端末装置間の直接データ通信であるデバイス間データ通信とを行う端末装置に実装される集積回路であって、基地局装置への無線リソース制御接続再確立時に、少なくとも基地局装置のセルにおけるデバイス間データ通信の可否状況と、端末装置におけるデバイス間データ通信のデータの有無とに基づいて、基地局装置へ通知するデバイス間データ通信に関する情報を選択して通知する機能を端末装置に対して発揮させる。
【０１９０】
（８）また、本発明の実施形態における集積回路は、基地局装置とのデータ通信と、基地局装置により設定される無線リソースを用いて端末装置間の直接データ通信であるデバイス間データ通信とを行う端末装置に実装される集積回路であって、基地局装置への無線リソース制御接続再確立時に、少なくとも基地局装置のセルにおけるデバイス間データ通信の可否状況に基づいて、デバイス間データ通信のデータ無線ベアラの継続あるいは一時中断あるいは解放の制御を行う機能を端末装置に対して発揮させる。
【０１９１】
（９）また、本発明の実施形態における集積回路において、集積回路は、さらに無線リソース制御接続再確立時に、端末装置で一時中断しているデータ無線ベアラに基地局装置との間で確立したデータ無線ベアラが含まれない場合に、無線リソース制御接続再確立手順を中止する機能を端末装置に対して発揮させる。
【符号の説明】
【０１９２】
１…端末装置
２、２−１、２−２…基地局装置
１０１、２０１…受信部
１０２、２０２…復調部
１０３、２０３…復号部
１０４、２０４…受信データ制御部
１０５、２０５…物理レイヤ制御部
１０６、２０６…送信データ制御部
１０７、２０７…符号部
１０８、２０８…変調部
１０９、２０９…送信部
１１０、２１０…無線リソース制御部
１１１…セル選択部
２１１…ネットワーク信号送受信部
【図１】
0006562922.tif 000002
【図２】
0006562922.tif 000003
【図３】
0006562922.tif 000004
【図４】
0006562922.tif 000005
【図５】
0006562922.tif 000006
【図６】
0006562922.tif 000007